(57)【要約】【課題】測定対象物の所望の部分の形状を効率よく測定することが可能な光走査高さ測定装置を提供する。【解決手段】基準画像と測定画像との比較および指定点の位置情報に基づいて、指定点が非追従型である場合、基準画像上の指定点の絶対位置に対応する測定画像上の位置に目標点が設定され、指定点が追従型である場合、測定対象画像と目標点との相対的な位置関係が基準対象画像と指定点との相対的な位置関係と一致するように測定画像上に目標点が設定される。光出射部２３１から出射された光が走査部２７０により偏向され、目標点に対応する測定対象物Ｓの部分に光が照射される。走査部２７０の偏向方向または偏向部により偏向された光の照射位置が検出される。測定対象物Ｓからの光が測定部２３２により受光され、受光量を示す受光信号が出力される。検出部の検出結果と受光信号とに基づいて、目標点に対応する測定対象物Ｓの部分の高さが算出される。【選択図】図３
2019074473.tif 000002
【特許請求の範囲】
【請求項１】
測定対象物に対応する基準対象画像を含む基準画像、基準画像上に指定された指定点の位置を示す位置情報、および指定点が非追従型であるか追従型であるかを示す型情報を受け付ける情報受付部と、
測定対象物の画像を測定対象画像として含む測定画像を取得する測定画像取得部と、
前記情報受付部により受け付けられた型情報に基づいて指定点が非追従型であるか追従型であるかを判定する型判定部と、
前記情報受付部により受け付けられた基準画像と前記測定画像取得部により取得された測定画像との比較および前記情報受付部により受け付けられた位置情報に基づいて、基準画像上の指定点に対応する目標点を測定画像上に設定する目標点設定部と、
光を出射する光出射部と、
前記光出射部から出射された光を偏向して測定対象物に照射する偏向部と、
前記偏向部の偏向方向または前記偏向部により偏向された光の照射位置を検出する検出部と、
測定対象物からの光を受光し、受光量を示す受光信号を出力する受光部と、
目標点に対応する測定対象物の部分に光が照射されるように前記偏向部を制御する駆動制御部と、
前記検出部の検出結果と前記受光部により出力される受光信号とに基づいて、目標点に対応する測定対象物の部分の高さを算出する高さ算出部とを備え、
前記目標点設定部は、前記型判定部により指定点が非追従型であると判定された場合に、基準画像上の指定点の絶対位置に対応する測定画像上の位置に目標点を設定し、指定点が追従型であると判定された場合に、測定対象画像と目標点との相対的な位置関係が基準対象画像と指定点との相対的な位置関係と一致するように測定画像上に目標点を設定する、光走査高さ測定装置。
【請求項２】
指定点は、１以上の指定測定点および１以上の指定基準点を含み、
型情報は、各指定測定点および各指定基準点が非追従型であるか追従型であるかを示し、
前記型判定部は、型情報に基づいて各指定測定点および各指定基準点が非追従型であるか追従型であるかを判定し、
前記目標点設定部は、各指定測定点が非追従型であると判定された場合に、基準画像上の当該指定測定点の絶対位置に対応する測定画像上の位置に目標測定点を設定し、各指定測定点が追従型であると判定された場合に、測定対象画像と目標測定点との相対的な位置関係が基準対象画像と当該指定測定点との相対的な位置関係と一致するように測定画像上に目標測定点を設定し、各指定基準点が非追従型であると判定された場合に、基準画像上の当該指定基準点の絶対位置に対応する測定画像上の位置に目標基準点を設定し、各指定基準点が追従型であると判定された場合に、測定対象画像と目標基準点との相対的な位置関係が基準対象画像と当該指定基準点との相対的な位置関係と一致するように測定画像上に目標基準点を設定し、
前記駆動制御部は、前記目標点設定部により設定された１以上の目標測定点および１以上の目標基準点にそれぞれ対応する測定対象物の部分に光が順次照射されるように前記偏向部を制御し、
前記光走査高さ測定装置は、
前記検出部の検出結果と前記受光部により出力される受光信号とに基づいて、１以上の目標測定点および１以上の目標基準点にそれぞれ対応する座標を算出する座標算出部と、
前記座標算出部により算出された１以上の目標基準点に対応する座標に基づいて基準面を取得する基準面取得部とをさらに備え、
前記高さ算出部は、前記座標算出部により算出された１以上の目標測定点に対応する座標に基づいて、前記基準面取得部により取得された基準面を基準とする測定対象物の１以上の部分の高さを算出する、請求項１記載の光走査高さ測定装置。
【請求項３】
位置情報は、複数の指定点の位置を示し、
前記光走査高さ測定装置は、
基準画像上の複数の指定点のうち非追従型の指定点の１つに対応する目標点を目標補正点として設定する補正点設定部をさらに備え、
前記駆動制御部は、予め定められた割り込み条件が満たされるごとに前記補正点設定部により設定された目標補正点に対応する測定対象物の部分に光が照射されるように前記偏向部を制御し、
前記高さ算出部は、割り込み条件が満たされるごとに目標補正点に対応する高さを算出し、割り込み条件が満たされる前後における目標補正点に対応する高さの変化に基づいて他の目標測定点に対応する測定対象物の部分の高さを補正する、請求項２記載の光走査高さ測定装置。
【請求項４】
割り込み条件は、時間、光の照射回数、および光の照射位置の移動距離のうち少なくとも１つに関する条件を含む、請求項３記載の光走査高さ測定装置。
【請求項５】
基準画像は、複数の基準対象画像を含み、
位置情報は、複数の追従型の指定点の位置を示し、
型情報は、追従型の各指定点と複数の基準対象画像のうちいずれかの基準対象画像との対応関係をさらに示し、
測定画像は、複数の基準対象画像にそれぞれ対応する複数の測定対象画像を含み、
前記目標点設定部は、追従型の各指定点に対応付けられた基準対象画像に対応する測定対象画像と目標点との相対的な位置関係が、当該指定点と当該指定点に対応付けられた基準対象画像との相対的な位置関係に一致するように測定画像上に目標点を設定する、請求項１〜４のいずれか一項に記載の光走査高さ測定装置。
【請求項６】
測定画像は、共通の基準対象画像に類似する複数の測定対象画像を含み、
前記目標点設定部は、各測定対象画像と目標点との相対的な位置関係が、基準対象画像と追従型の指定点との相対的な位置関係と一致するように測定画像上に目標点を設定する、請求項１〜５のいずれか一項に記載の光走査高さ測定装置。
【請求項７】
予め定められた固有の座標系を有し、
前記目標点設定部は、固有の座標系における座標に基づいて基準画像上の非追従型の指定点の絶対位置に対応する測定画像上の位置に目標点を設定し、
前記高さ算出部は、固有の座標系における原点を基準として目標点に対応する測定対象物の部分の高さを算出する、請求項１〜６のいずれか一項に記載の光走査高さ測定装置。
【請求項８】
前記目標点設定部は、測定画像を基準画像に対して相対的に並進移動または回転移動させることにより測定画像における測定対象画像を特定し、特定された測定対象画像に基づいて追従型の指定点に対応する目標点を設定する、請求項１〜７のいずれか一項に記載の光走査高さ測定装置。
【請求項９】
前記目標点設定部は、基準画像に含まれる被写体のエッジ部分の形状と測定画像に含まれる被写体のエッジ部分の形状との比較に基づいて測定画像における測定対象画像を特定し、特定された測定対象画像に基づいて追従型の指定点に対応する目標点を設定する、請求項１〜８のいずれか一項に記載の光走査高さ測定装置。
【請求項１０】
前記高さ算出部は、目標点に対応する測定対象物の部分の高さを算出できないときにはエラーメッセージを出力する、請求項１〜９のいずれか一項に記載の光走査高さ測定装置。
【請求項１１】
前記高さ算出部は、目標点に対応する算出された測定対象物の部分の高さが予め定められた値から一定値以上乖離するときには警告メッセージを出力する、請求項１〜１０のいずれか一項に記載の光走査高さ測定装置。
【請求項１２】
測定対象物および当該測定対象物に照射される光を撮像する撮像部と、
前記撮像部による撮像画像における光の照射位置を特定する第１の位置特定部と、
前記第１の位置特定部により特定された光の照射位置が目標点から予め定められた範囲内にあるか否かを判定する第１の位置判定部とをさらに備え、
前記測定画像取得部は、前記撮像部により生成される画像を測定画像として取得し、
前記駆動制御部は、前記第１の位置判定部による判定結果に基づいて前記偏向部を制御する、請求項１〜１１のいずれか一項に記載の光走査高さ測定装置。
【請求項１３】
前記検出部の検出結果と前記受光部により出力される受光信号とに基づいて光が照射される測定対象物上の平面位置を特定する第２の位置特定部と、
前記第２の位置特定部により特定された測定対象物上の平面位置が目標点に対応する位置から予め定められた範囲内にあるか否かを判定する第２の位置判定部とをさらに備え、
前記駆動制御部は、前記第２の位置判定部による判定結果に基づいて前記偏向部を制御する、請求項１〜１２のいずれか一項に記載の光走査高さ測定装置。
【請求項１４】
設定モードと測定モードとで選択的に動作するように構成され、
設定モードにおいて、基準対象画像を含む基準画像を取得する基準画像取得部と、
設定モードにおいて、前記基準画像取得部により取得された基準画像上の指定点の指定を受け付けることにより位置情報を生成する位置情報取得部と、
設定モードにおいて、前記位置情報取得部により受け付けられた指定点が非追従型であるか追従型であるかの指定を受け付けることにより型情報を生成する型指定部と、
設定モードにおいて、前記基準画像取得部により取得された基準画像を示す基準画像データ、前記位置情報取得部により生成された位置情報および前記型指定部により生成された型情報を対応付けることにより登録情報を生成し、生成された登録情報を前記情報受付部に与える登録情報生成部とをさらに備え、
前記情報受付部、前記測定画像取得部、前記型判定部、前記目標点設定部、前記検出部、前記駆動制御部および前記高さ算出部は、測定モードにおいて動作する、請求項１〜１３のいずれか一項に記載の光走査高さ測定装置。
【請求項１５】
第１の移動軸に沿って移動可能に配置された参照体と、
前記光出射部により出射された光を測定光として前記偏向部に導くとともに前記光出射部により出射された光を参照光として前記参照体に導き、前記偏向部で反射された測定対象物からの測定光と前記参照体で反射された参照光との干渉光を生成し、生成された干渉光を前記受光部に導く導光部と、
前記参照体の位置を取得する参照位置取得部と、
前記導光部により生成された干渉光を分光する分光部とをさらに備え、
前記光出射部は、時間的に低コヒーレントな光を出射し、
前記偏向部は、前記導光部により導かれた測定光を偏向して測定対象物に照射するとともに、測定対象物からの測定光を前記導光部に反射し、
前記受光部は、前記分光部により分光された干渉光を受光し、干渉光の受光量を示す受光信号を出力し、
前記高さ算出部は、前記参照位置取得部により取得される前記参照体の位置と、前記受光部から出力される受光信号における干渉光の受光量とに基づいて測定対象物の部分の高さを算出する、請求項１〜１４のいずれか一項に記載の光走査高さ測定装置。
【発明の詳細な説明】
【技術分野】
【０００１】
本発明は、測定対象物の表面形状を測定する光走査高さ測定装置に関する。
【背景技術】
【０００２】
測定対象物の表面形状を測定するために、光走査高さ測定装置が用いられる。例えば、特許文献１に記載された寸法測定装置においては、白色光源から放射された光が、光カプラにより測定光束と参照光束とに分割される。測定光束は、測定物走査光学系により走査され、被測定物の表面上の任意の測定点に照射される。参照光束は、参照光走査光学系に照射される。被測定物により反射された測定光束と参照光束との干渉に基づいて、被測定物の測定点の表面高さが求められる。
【先行技術文献】
【特許文献】
【０００３】
【特許文献１】特開２０１０−４３９５４号公報
【発明の概要】
【発明が解決しようとする課題】
【０００４】
特許文献１の寸法測定装置を用いることにより、測定対象物の所望の部分の形状を測定することができる。この場合、当該部分に測定光束を照射するために、寸法測定装置に対する測定対象物の位置および姿勢を正確に決定した上で、当該部分の位置座標を予め用意しておく必要がある。しかしながら、位置および姿勢を正確に維持しつつ測定対象物を載置する作業は面倒である。そのため、測定対象物の所望の部分を容易に指定することができず、当該部分を効率よく測定することができない。
【０００５】
本発明の目的は、測定対象物の所望の部分の形状を効率よく測定することが可能な光走査高さ測定装置を提供することである。
【課題を解決するための手段】
【０００６】
（１）本発明に係る光走査高さ測定装置は、測定対象物に対応する基準対象画像を含む基準画像、基準画像上に指定された指定点の位置を示す位置情報、および指定点が非追従型であるか追従型であるかを示す型情報を受け付ける情報受付部と、測定対象物の画像を測定対象画像として含む測定画像を取得する測定画像取得部と、情報受付部により受け付けられた型情報に基づいて指定点が非追従型であるか追従型であるかを判定する型判定部と、情報受付部により受け付けられた基準画像と測定画像取得部により取得された測定画像との比較および情報受付部により受け付けられた位置情報に基づいて、基準画像上の指定点に対応する目標点を測定画像上に設定する目標点設定部と、光を出射する光出射部と、光出射部から出射された光を偏向して測定対象物に照射する偏向部と、偏向部の偏向方向または偏向部により偏向された光の照射位置を検出する検出部と、測定対象物からの光を受光し、受光量を示す受光信号を出力する受光部と、目標点に対応する測定対象物の部分に光が照射されるように偏向部を制御する駆動制御部と、検出部の検出結果と受光部により出力される受光信号とに基づいて、目標点に対応する測定対象物の部分の高さを算出する高さ算出部とを備え、目標点設定部は、型判定部により指定点が非追従型であると判定された場合に、基準画像上の指定点の絶対位置に対応する測定画像上の位置に目標点を設定し、指定点が追従型であると判定された場合に、測定対象画像と目標点との相対的な位置関係が基準対象画像と指定点との相対的な位置関係と一致するように測定画像上に目標点を設定する。
【０００７】
この光走査高さ測定装置においては、測定対象物に対応する基準対象画像を含む基準画像、基準画像上に指定された指定点の位置を示す位置情報、および指定点が非追従型であるか追従型であるかを示す型情報が情報受付部により受け付けられる。情報受付部により受け付けられた型情報に基づいて指定点が非追従型であるか追従型であるかが型判定部により判定される。測定対象物の画像を測定対象画像として含む測定画像が測定画像取得部により取得される。
【０００８】
情報受付部により受け付けられた基準画像と測定画像取得部により取得された測定画像との比較および情報受付部により受け付けられた位置情報に基づいて、基準画像上の指定点に対応する目標点が目標点設定部により測定画像上に設定される。ここで、型判定部により指定点が非追従型であると判定された場合に、基準画像上の指定点の絶対位置に対応する測定画像上の位置に目標点が設定される。指定点が追従型であると判定された場合に、測定対象画像と目標点との相対的な位置関係が基準対象画像と指定点との相対的な位置関係と一致するように測定画像上に目標点が設定される。
【０００９】
光出射部から出射された光が偏向部により偏向され、測定対象物に照射される。目標点設定部により設定された目標点に対応する測定対象物の部分に光が照射されるように偏向部が駆動制御部により制御される。偏向部の偏向方向または偏向部により偏向された光の照射位置が検出部により検出される。測定対象物からの光が受光部により受光され、受光量を示す受光信号が出力される。検出部の検出結果と受光部により出力される受光信号とに基づいて、目標点に対応する測定対象物の部分の高さが高さ算出部により算出される。
【００１０】
この構成によれば、基準画像上で指定された指定点に対応して測定画像上に目標点が設定され、設定された目標点に対応する測定対象物の部分の高さが自動的に算出される。ここで、指定点が追従型である場合には、基準対象画像に対する測定対象画像の移動に追従して測定画像上に目標点が設定される。そのため、使用者は、指定点を追従型に指定することにより、光走査高さ測定装置に対する位置および姿勢を正確に調整した状態で測定対象物を載置することなく所望の部分の高さを取得することができる。この場合、目標点の位置座標を予め用意する必要もない。
【００１１】
一方で、指定点が非追従型である場合には、基準対象画像に対する測定対象画像の移動に追従せずに測定画像上に目標点が設定される。そのため、測定対象物の位置とは無関係に常に同一の部分を測定したい場合には、使用者は、指定点を非追従型に指定することにより、所望の部分の高さを容易に取得することができる。これらの結果、測定対象物の所望の部分の形状を正確かつ容易に測定することが可能になる。
【００１２】
（２）指定点は、１以上の指定測定点および１以上の指定基準点を含み、型情報は、各指定測定点および各指定基準点が非追従型であるか追従型であるかを示し、型判定部は、型情報に基づいて各指定測定点および各指定基準点が非追従型であるか追従型であるかを判定し、目標点設定部は、各指定測定点が非追従型であると判定された場合に、基準画像上の当該指定測定点の絶対位置に対応する測定画像上の位置に目標測定点を設定し、各指定測定点が追従型であると判定された場合に、測定対象画像と目標測定点との相対的な位置関係が基準対象画像と当該指定測定点との相対的な位置関係と一致するように測定画像上に目標測定点を設定し、各指定基準点が非追従型であると判定された場合に、基準画像上の当該指定基準点の絶対位置に対応する測定画像上の位置に目標基準点を設定し、各指定基準点が追従型であると判定された場合に、測定対象画像と目標基準点との相対的な位置関係が基準対象画像と当該指定基準点との相対的な位置関係と一致するように測定画像上に目標基準点を設定し、駆動制御部は、目標点設定部により設定された１以上の目標測定点および１以上の目標基準点にそれぞれ対応する測定対象物の部分に光が順次照射されるように偏向部を制御し、光走査高さ測定装置は、検出部の検出結果と受光部により出力される受光信号とに基づいて、１以上の目標測定点および１以上の目標基準点にそれぞれ対応する座標を算出する座標算出部と、座標算出部により算出された１以上の目標基準点に対応する座標に基づいて基準面を取得する基準面取得部とをさらに備え、高さ算出部は、座標算出部により算出された１以上の目標測定点に対応する座標に基づいて、基準面取得部により取得された基準面を基準とする測定対象物の１以上の部分の高さを算出してもよい。
【００１３】
この場合、高さの算出対象である１以上の目標測定点に対応する１以上の指定測定点および基準面を構成する１以上の目標基準点に対応する１以上の指定基準点の各々について、非追従型であるか追従型であるかが示される。これにより、基準面に対する測定対象物の部分の相対的な高さを正確かつ容易に測定することができる。
【００１４】
（３）位置情報は、複数の指定点の位置を示し、光走査高さ測定装置は、基準画像上の複数の指定点のうち非追従型の指定点の１つに対応する目標点を目標補正点として設定する補正点設定部をさらに備え、駆動制御部は、予め定められた割り込み条件が満たされるごとに補正点設定部により設定された目標補正点に対応する測定対象物の部分に光が照射されるように偏向部を制御し、高さ算出部は、割り込み条件が満たされるごとに目標補正点に対応する高さを算出し、割り込み条件が満たされる前後における目標補正点に対応する高さの変化に基づいて他の目標測定点に対応する測定対象物の部分の高さを補正してもよい。
【００１５】
この場合、予め定められた割り込み条件が満たされるごとに、目標補正点に対応する高さが算出される。ここで、周辺温度の影響等によって光走査高さ測定装置を構成する各部材の寸法または部材間の距離が変化すると、各目標点に対応して算出された高さに誤差が生じ得る。このような各部材の寸法または部材間の距離の変化は、目標補正点に対応する高さの変化として現れる。そこで、目標補正点に対応する高さの変化に基づいて各目標点に対応する高さが補正される。これにより、各部材の寸法または部材間の距離の変化に起因する高さの誤差を低減することができる。その結果、高い精度で測定対象物の所望の部分の高さを測定することができる。
【００１６】
（４）割り込み条件は、時間、光の照射回数、および光の照射位置の移動距離のうち少なくとも１つに関する条件を含んでもよい。この場合、適切なタイミングで目標補正点に対応する高さを算出することができる。
【００１７】
（５）基準画像は、複数の基準対象画像を含み、位置情報は、複数の追従型の指定点の位置を示し、型情報は、追従型の各指定点と複数の基準対象画像のうちいずれかの基準対象画像との対応関係をさらに示し、測定画像は、複数の基準対象画像にそれぞれ対応する複数の測定対象画像を含み、目標点設定部は、追従型の各指定点に対応付けられた基準対象画像に対応する測定対象画像と目標点との相対的な位置関係が、当該指定点と当該指定点に対応付けられた基準対象画像との相対的な位置関係に一致するように測定画像上に目標点を設定してもよい。
【００１８】
この構成によれば、測定対象物が複数の部材により形成され、部材間の位置関係が変化する場合でも、追従型の指定点を所望の部材に対応する基準対象画像に対応付けることができる。そのため、複数の基準対象画像のうち所望の基準対象画像に対する測定対象画像の移動に追従して測定画像上に目標点が設定される。これにより、測定対象物が複数の部材により形成される場合でも、測定対象物の所望の部分の形状を正確かつ容易に測定することができる。
【００１９】
（６）測定画像は、共通の基準対象画像に類似する複数の測定対象画像を含み、目標点設定部は、各測定対象画像と目標点との相対的な位置関係が、基準対象画像と追従型の指定点との相対的な位置関係と一致するように測定画像上に目標点を設定してもよい。
【００２０】
この場合、共通の基準対象画像を用いて単一の測定画像に含まれる複数の測定対象画像の各々について目標点が設定される。これにより、複数の測定対象物における所望の共通の部分の形状を正確、容易にかつ短時間で測定することができる。
【００２１】
（７）光走査高さ測定装置は、予め定められた固有の座標系を有し、目標点設定部は、固有の座標系における座標に基づいて基準画像上の非追従型の指定点の絶対位置に対応する測定画像上の位置に目標点を設定し、高さ算出部は、固有の座標系における原点を基準として目標点に対応する測定対象物の部分の高さを算出してもよい。
【００２２】
この場合、非追従型の指定点に対応する目標点を容易に設定することができる。また、固有の座標系における測定対象物の絶対的な高さを正確かつ容易に測定することができる。
【００２３】
（８）目標点設定部は、測定画像を基準画像に対して相対的に並進移動または回転移動させることにより測定画像における測定対象画像を特定し、特定された測定対象画像に基づいて追従型の指定点に対応する目標点を設定してもよい。この構成によれば、基準対象画像に対して測定対象画像が変位または回転している場合でも、追従型の指定点に対応する目標点を容易に設定することができる。
【００２４】
（９）目標点設定部は、基準画像に含まれる被写体のエッジ部分の形状と測定画像に含まれる被写体のエッジ部分の形状との比較に基づいて測定画像における測定対象画像を特定し、特定された測定対象画像に基づいて追従型の指定点に対応する目標点を設定してもよい。この場合、追従型の指定点に対応する目標点を高い精度で設定することができる。
【００２５】
（１０）高さ算出部は、目標点に対応する測定対象物の部分の高さを算出できないときにはエラーメッセージを出力してもよい。この構成によれば、目標点が測定対象画像に追従することにより目標点が光走査高さ測定装置の測定領域に移動した場合でも、使用者は、エラーメッセージによりその旨を認識することができる。これにより、使用者は、測定対象物の位置または姿勢の変更等の処置を行うことができる。
【００２６】
（１１）高さ算出部は、目標点に対応する算出された測定対象物の部分の高さが予め定められた値から一定値以上乖離するときには警告メッセージを出力してもよい。この構成によれば、測定対象画像が非追従型の指定点に対応する目標点に重なるように載置されることにより、当該目標点について誤った高さが算出された場合でも、使用者は、警告メッセージによりその旨を認識することができる。これにより、使用者は、測定対象物の位置または姿勢の変更等の処置を行うことができる。
【００２７】
（１２）光走査高さ測定装置は、測定対象物および当該測定対象物に照射される光を撮像する撮像部と、撮像部による撮像画像における光の照射位置を特定する第１の位置特定部と、第１の位置特定部により特定された光の照射位置が目標点から予め定められた範囲内にあるか否かを判定する第１の位置判定部とをさらに備え、測定画像取得部は、撮像部により生成される画像を測定画像として取得し、駆動制御部は、第１の位置判定部による判定結果に基づいて偏向部を制御してもよい。この場合、測定画像を容易に取得することができる。また、第１の位置判定部による判定結果に基づいて、指定点に対応する測定対象物の部分に光を容易に照射することができる。
【００２８】
（１３）光走査高さ測定装置は、検出部の検出結果と受光部により出力される受光信号とに基づいて光が照射される測定対象物上の平面位置を特定する第２の位置特定部と、第２の位置特定部により特定された測定対象物上の平面位置が目標点に対応する位置から予め定められた範囲内にあるか否かを判定する第２の位置判定部とをさらに備え、駆動制御部は、第２の位置判定部による判定結果に基づいて偏向部を制御してもよい。この場合、第２の位置判定部による判定結果に基づいて、指定点に対応する測定対象物の部分に光を容易に照射することができる。
【００２９】
（１４）光走査高さ測定装置は、設定モードと測定モードとで選択的に動作するように構成され、設定モードにおいて、基準対象画像を含む基準画像を取得する基準画像取得部と、設定モードにおいて、基準画像取得部により取得された基準画像上の指定点の指定を受け付けることにより位置情報を生成する位置情報取得部と、設定モードにおいて、位置情報取得部により受け付けられた指定点が非追従型であるか追従型であるかの指定を受け付けることにより型情報を生成する型指定部と、設定モードにおいて、基準画像取得部により取得された基準画像を示す基準画像データ、位置情報取得部により生成された位置情報および型指定部により生成された型情報を対応付けることにより登録情報を生成し、生成された登録情報を情報受付部に与える登録情報生成部とをさらに備え、情報受付部、測定画像取得部、型判定部、目標点設定部、検出部、駆動制御部および高さ算出部は、測定モードにおいて動作してもよい。
【００３０】
この場合、光走査高さ測定装置は、設定モードと測定モードとで選択的に動作する。設定モードにおいて、基準画像上で指定点が指定されるとともに、指定点が非追従型であるか追従型であるかが指定されることにより、登録情報が生成される。測定モードにおいて、基準画像上で指定された指定点に対応して測定画像上に目標点が設定され、設定された目標点に対応する測定対象物の部分の高さが自動的に算出される。そのため、熟練した使用者が設定モードにおいて登録情報を生成することにより、測定モードにおいて、使用者が熟練していない場合でも、所望の部分の高さの算出結果を画一的に取得することができる。これにより、測定対象物の所望の部分の形状を効率よく測定することが可能になる。
【００３１】
（１５）光走査高さ測定装置は、第１の移動軸に沿って移動可能に配置された参照体と、光出射部により出射された光を測定光として偏向部に導くとともに光出射部により出射された光を参照光として参照体に導き、偏向部で反射された測定対象物からの測定光と参照体で反射された参照光との干渉光を生成し、生成された干渉光を受光部に導く導光部と、参照体の位置を取得する参照位置取得部と、導光部により生成された干渉光を分光する分光部とをさらに備え、光出射部は、時間的に低コヒーレントな光を出射し、偏向部は、導光部により導かれた測定光を偏向して測定対象物に照射するとともに、測定対象物からの測定光を導光部に反射し、受光部は、分光部により分光された干渉光を受光し、干渉光の受光量を示す受光信号を出力し、高さ算出部は、参照位置取得部により取得される参照体の位置と、受光部から出力される受光信号における干渉光の受光量とに基づいて測定対象物の部分の高さを算出してもよい。この場合、参照光を反射した参照体の位置と分光された干渉光の受光量とに基づいて、測定対象物の部分の高さを高精度で算出することができる。
【発明の効果】
【００３２】
本発明によれば、測定対象物の所望の部分の形状を効率よく測定することができる。
【図面の簡単な説明】
【００３３】
【図１】本発明の一実施の形態に係る光走査高さ測定装置の全体構成を示すブロック図である。
【図２】図１のスタンド部を示す外観斜視図である。
【図３】スタンド部および測定ヘッドの構成を示すブロック図である。
【図４】測定部の構成を示す模式図である。
【図５】参照部の構成を示す模式図である。
【図６】合焦部の構成を示す模式図である。
【図７】走査部の構成を示す模式図である。
【図８】光走査高さ測定装置の表示部に表示される選択画面の一例を示す図である。
【図９】各動作モードにおいて制御部と制御基板との間で伝送されるデータの内容を示す図である。
【図１０】図１の光走査高さ測定装置の制御系を示すブロック図である。
【図１１】報告書作成部により作成される報告書の一例を示す図である。
【図１２】図１の光走査高さ測定装置において実行される光走査高さ測定処理の一例を示すフローチャートである。
【図１３】図１の光走査高さ測定装置において実行される光走査高さ測定処理の一例を示すフローチャートである。
【図１４】図１の光走査高さ測定装置において実行される光走査高さ測定処理の一例を示すフローチャートである。
【図１５】図１の光走査高さ測定装置において実行される光走査高さ測定処理の一例を示すフローチャートである。
【図１６】図１の光走査高さ測定装置において実行される光走査高さ測定処理の一例を示すフローチャートである。
【図１７】制御基板による指定測定処理の一例を示すフローチャートである。
【図１８】制御基板による指定測定処理の一例を示すフローチャートである。
【図１９】図１７および図１８の指定測定処理を説明するための説明図である。
【図２０】図１７および図１８の指定測定処理を説明するための説明図である。
【図２１】制御基板による指定測定処理の他の例を示すフローチャートである。
【図２２】制御基板による指定測定処理の他の例を示すフローチャートである。
【図２３】図２１および図２２の指定測定処理を説明するための説明図である。
【図２４】設定モードにおける光走査高さ測定装置の操作例を説明するための図である。
【図２５】設定モードにおける光走査高さ測定装置の操作例を説明するための図である。
【図２６】設定モードにおける光走査高さ測定装置の操作例を説明するための図である。
【図２７】設定モードにおける光走査高さ測定装置の操作例を説明するための図である。
【図２８】設定モードにおける光走査高さ測定装置の操作例を説明するための図である。
【図２９】設定モードにおける光走査高さ測定装置の操作例を説明するための図である。
【図３０】設定モードにおける光走査高さ測定装置の操作例を説明するための図である。
【図３１】設定モードにおける光走査高さ測定装置の他の操作例を説明するための図である。
【図３２】設定モードにおける光走査高さ測定装置の他の操作例を説明するための図である。
【図３３】設定モードにおける光走査高さ測定装置の他の操作例を説明するための図である。
【図３４】測定モードにおける光走査高さ測定装置の操作例を説明するための図である。
【図３５】測定モードにおける光走査高さ測定装置の操作例を説明するための図である。
【図３６】測定モードにおける光走査高さ測定装置の操作例を説明するための図である。
【図３７】図３５において設定される目標点の詳細を説明するための図である。
【図３８】図３５において設定される目標点の詳細を説明するための図である。
【図３９】図３５において設定される目標点の詳細を説明するための図である。
【図４０】目標測定点の高さの補正の具体例について説明するための図である。
【図４１】変形例における測定画像を示す図である。
【図４２】変形例における基準画像を示す図である。
【図４３】変形例における基準画像の他の例を示す図である。
【図４４】他の実施の形態に係る光走査高さ測定装置の制御系を示すブロック図である。
【発明を実施するための形態】
【００３４】
（１）光走査高さ測定装置の全体構成
以下、本発明の実施の形態に係る光走査高さ測定装置について図面を参照しながら説明する。図１は、本発明の一実施の形態に係る光走査高さ測定装置の全体構成を示すブロック図である。図２は、図１のスタンド部１００を示す外観斜視図である。図１に示すように、光走査高さ測定装置４００は、スタンド部１００、測定ヘッド２００および処理装置３００を備える。
【００３５】
スタンド部１００は、縦断面がＬ字形状を有し、設置部１１０、保持部１２０および昇降部１３０を含む。設置部１１０は、水平な平板形状を有し、設置面に設置される。図２に示すように、設置部１１０の上面には、測定対象物Ｓが載置される正方形状の光学定盤１１１が設けられる。光学定盤１１１の上方には、測定ヘッド２００により測定対象物Ｓを測定可能な測定領域Ｖが定義される。図２においては、測定領域Ｖが点線で図示される。
【００３６】
光学定盤１１１には、互いに直交する２方向に等間隔で並ぶように複数のねじ孔が形成される。これにより、クランプ部材およびねじ部材を用いて測定対象物Ｓの表面が測定領域Ｖ内に位置する状態で測定対象物Ｓを光学定盤１１１に固定することができる。
【００３７】
保持部１２０は、設置部１１０の一端部から上方に延びるように設けられる。保持部１２０の上端部には、光学定盤１１１の上面に対向するように測定ヘッド２００が取り付けられる。この場合、測定ヘッド２００と設置部１１０とが保持部１２０により保持されるので、光走査高さ測定装置４００の取り扱いが容易になる。また、測定対象物Ｓを設置部１１０上の光学定盤１１１に載置することにより、測定対象物Ｓを測定領域Ｖ内に容易に位置させることができる。
【００３８】
図１に示すように、昇降部１３０は、保持部１２０の内部に設けられる。昇降部１３０は、光学定盤１１１上の測定対象物Ｓに対して測定ヘッド２００を上下方向（測定対象物Ｓの高さ方向）に移動させることができる。測定ヘッド２００は、制御基板２１０、撮像部２２０、光学部２３０、導光部２４０、参照部２５０、合焦部２６０および走査部２７０を含む。制御基板２１０は、例えばＣＰＵ（中央演算処理装置）、ＲＯＭ（リードオンリメモリ）およびＲＡＭ（ランダムアクセスメモリ）を含む。制御基板２１０は、マイクロコンピュータにより構成されてもよい。
【００３９】
制御基板２１０は、処理装置３００に接続され、処理装置３００による指令に基づいて、昇降部１３０、撮像部２２０、光学部２３０、参照部２５０、合焦部２６０および走査部２７０の動作を制御する。また、制御基板２１０は、撮像部２２０、光学部２３０、参照部２５０、合焦部２６０および走査部２７０から取得する種々の情報を処理装置３００に与える。撮像部２２０は、光学定盤１１１に載置された測定対象物Ｓを撮像することにより測定対象物Ｓの画像データを生成し、生成された画像データを制御基板２１０に与える。
【００４０】
光学部２３０は、時間的に低いコヒーレンス性を有する出射光を導光部２４０に出射する。導光部２４０は、光学部２３０からの出射光を参照光と測定光とに分割し、参照光を参照部２５０に導くとともに、測定光を合焦部２６０に導く。参照部２５０は、参照光を導光部２４０に反射する。合焦部２６０は、自己を通過する測定光に焦点を付与する。走査部２７０は、合焦部２６０により焦点が付与された測定光を走査することにより、測定対象物Ｓの所望の部分に測定光を照射する。
【００４１】
測定対象物Ｓに照射された測定光の一部は、測定対象物Ｓにより反射され、走査部２７０および合焦部２６０を通して導光部２４０に導かれる。導光部２４０は、参照部２５０により反射された参照光と測定対象物Ｓにより反射された測定光との干渉光を生成し、光学部２３０に導く。光学部２３０は、干渉光の波長ごとの受光量を検出し、検出結果を示す信号を制御基板２１０に与える。測定ヘッド２００の詳細は後述する。
【００４２】
処理装置３００は、制御部３１０、タイマ３１５、記憶部３２０、操作部３３０および表示部３４０を含む。制御部３１０は、例えばＣＰＵを含む。タイマ３１５は、現在時刻等の時間情報を制御部３１０に与える。記憶部３２０は、例えばＲＯＭ、ＲＡＭおよびＨＤＤ（ハードディスクドライブ）を含む。記憶部３２０には、システムプログラムが記憶される。また、記憶部３２０は、種々のデータの記憶およびデータの処理のために用いられる。
【００４３】
制御部３１０は、記憶部３２０に記憶されたシステムプログラムに基づいて、測定ヘッド２００の撮像部２２０、光学部２３０、参照部２５０、合焦部２６０および走査部２７０の動作を制御するための指令を制御基板２１０に与える。また、制御部３１０は、測定ヘッド２００の制御基板２１０から種々の情報を取得して記憶部３２０に記憶させる。
【００４４】
操作部３３０は、マウス、タッチパネル、トラックボールまたはジョイスティック等のポインティングデバイスおよびキーボードを含み、制御部３１０に指示を与えるために使用者により操作される。表示部３４０は、例えばＬＣＤ（液晶ディスプレイ）パネルまたは有機ＥＬ（エレクトロルミネッセンス）パネルを含む。表示部３４０は、記憶部３２０に記憶された画像データに基づく画像および計測結果等を表示する。
【００４５】
（２）昇降部および導光部
図３は、スタンド部１００および測定ヘッド２００の構成を示すブロック図である。図３では、昇降部１３０、光学部２３０および導光部２４０の詳細な構成が示される。図３に示すように、昇降部１３０は、駆動部１３１、駆動回路１３２および読取部１３３を含む。
【００４６】
駆動部１３１は、例えばモータであり、図３に太い矢印で示すように、光学定盤１１１上の測定対象物Ｓに対して測定ヘッド２００を上下方向に移動させる。これにより、測定光の光路長を広い範囲にわたって調整することができる。ここで、測定光の光路長は、測定光が後述する導光部２４０のポート２４５ｄから出力された後、測定対象物Ｓにより反射された測定光がポート２４５ｄに入力されるまでの光学的な光路の長さである。
【００４７】
駆動回路１３２は、制御基板２１０に接続され、制御基板２１０による制御に基づいて駆動部１３１を駆動させる。読取部１３３は、例えば光学式のリニアエンコーダであり、駆動部１３１の駆動量を読み取ることにより測定ヘッド２００の上下方向における位置を検出する。また、読取部１３３は、検出結果を制御基板２１０に与える。
【００４８】
光学部２３０は、光出射部２３１および測定部２３２を含む。光出射部２３１は、光源として例えばＳＬＤ（スーパールミネッセントダイオード）を含み、比較的低いコヒーレンス性を有する出射光を出射する。具体的には、出射光のコヒーレンス性は、ＬＥＤ（発光ダイオード）により出射される光または白色光のコヒーレンス性よりも高く、レーザ光のコヒーレンス性よりも低い。したがって、出射光は、ＬＥＤにより出射される光または白色光の波長帯域幅よりも狭く、レーザ光の波長帯域幅よりも広い波長帯域幅を有する。光学部２３０からの出射光は、導光部２４０に入力される。
【００４９】
導光部２４０から干渉光が測定部２３２に出力される。図４は、測定部２３２の構成を示す模式図である。図４に示すように、測定部２３２は、レンズ２３２ａ，２３２ｃ、分光部２３２ｂおよび受光部２３２ｄを含む。後述する導光部２４０の光ファイバ２４２から出力された干渉光は、レンズ２３２ａを通過することにより略平行化され、分光部２３２ｂに入射される。分光部２３２ｂは、例えば反射型の回折格子である。分光部２３２ｂに入射された光は、波長ごとに異なる角度で反射するように分光され、レンズ２３２ｃを通過することにより波長ごとに異なる一次元上の位置に合焦される。
【００５０】
受光部２３２ｄは、例えば複数の画素が一次元状に配列された撮像素子（一次元ラインセンサ）を含む。撮像素子は、多分割ＰＤ（フォトダイオード）、ＣＣＤ（電荷結合素子）カメラまたはＣＭＯＳ（相補性金属酸化膜半導体）イメージセンサであってもよいし、他の素子であってもよい。受光部２３２ｄは、レンズ２３２ｃにより形成された波長ごとに異なる複数の合焦位置で撮像素子の複数の画素がそれぞれ光を受光するように配置される。
【００５１】
受光部２３２ｄの各画素からは、受光量に対応するアナログの電気信号（以下、受光信号と呼ぶ。）が出力され、図３の制御基板２１０に与えられる。これにより、制御基板２１０は、受光部２３２ｄの各画素（干渉光の波長）と受光量との関係を示すデータを取得する。制御基板２１０は、当該データに所定の演算および処理を行うことにより、測定対象物Ｓの部分の高さを算出する。
【００５２】
図３に示すように、導光部２４０は、４本の光ファイバ２４１，２４２，２４３，２４４、ファイバカプラ２４５およびレンズ２４６を含む。ファイバカプラ２４５は、いわゆる２×２型の構成を有し、４個のポート２４５ａ，２４５ｂ，２４５ｃ，２４５ｄおよび本体部２４５ｅを含む。ポート２４５ａ，２４５ｂとポート２４５ｃ，２４５ｄとは、本体部２４５ｅを挟んで対向するように本体部２４５ｅに設けられる。
【００５３】
光ファイバ２４１は、光出射部２３１とポート２４５ａとの間に接続される。光ファイバ２４２は、測定部２３２とポート２４５ｂとの間に接続される。光ファイバ２４３は、参照部２５０とポート２４５ｃとの間に接続される。光ファイバ２４４は、合焦部２６０とポート２４５ｄとの間に接続される。なお、本実施の形態においては、光ファイバ２４３は、光ファイバ２４１，２４２，２４４よりも長い。レンズ２４６は、光ファイバ２４３と参照部２５０との光路上に配置される。
【００５４】
光出射部２３１からの出射光は、光ファイバ２４１を通してポート２４５ａに入力される。ポート２４５ａに入力された出射光の一部は、ポート２４５ｃから参照光として出力される。参照光は、光ファイバ２４３およびレンズ２４６を通過することにより略平行化され、参照部２５０に導かれる。また、参照部２５０により反射された参照光は、レンズ２４６および光ファイバ２４３を通してポート２４５ｃに入力される。
【００５５】
ポート２４５ａに入力された出射光の他の一部は、ポート２４５ｄから測定光として出力される。測定光は、光ファイバ２４４、合焦部２６０および走査部２７０を通して測定対象物Ｓに照射される。また、測定対象物Ｓにより反射された測定光の一部は、走査部２７０、合焦部２６０および光ファイバ２４４を通してポート２４５ｄに入力される。ポート２４５ｃに入力された参照光とポート２４５ｄに入力された測定光とは、ポート２４５ｂから干渉光として出力され、光ファイバ２４２を通して測定部２３２に導かれる。
【００５６】
（３）参照部
図５は、参照部２５０の構成を示す模式図である。図５に示すように、参照部２５０は、固定部２５１、直線状に延びるリニアガイド２５１ｇ、可動部２５２ａ，２５２ｂ、固定ミラー２５３、可動ミラー２５４ａ，２５４ｂ，２５４ｃ、駆動部２５５ａ，２５５ｂ、駆動回路２５６ａ，２５６ｂおよび読取部２５７ａ，２５７ｂを含む。固定部２５１およびリニアガイド２５１ｇは、測定ヘッド２００の本体に固定される。可動部２５２ａ，２５２ｂは、リニアガイド２５１ｇが延びる方向に沿って移動可能にリニアガイド２５１ｇに取り付けられる。
【００５７】
固定ミラー２５３は、固定部２５１に取り付けられる。可動ミラー２５４ａ，２５４ｃは可動部２５２ａに取り付けられる。可動ミラー２５４ｂは、可動部２５２ｂに取り付けられる。可動ミラー２５４ｃは、いわゆる参照ミラーとして用いられる。可動ミラー２５４ｃは、コーナーキューブにより構成されることが好ましい。この場合、光学部材の配列を容易に行うことができる。
【００５８】
光ファイバ２４３から出力された参照光は、レンズ２４６を通過することにより略平行化された後、固定ミラー２５３、可動ミラー２５４ａ、可動ミラー２５４ｂおよび可動ミラー２５４ｃにより順次反射される。可動ミラー２５４ｃにより反射された参照光は、可動ミラー２５４ｂ、可動ミラー２５４ａおよび固定ミラー２５３により順次反射され、レンズ２４６を通して光ファイバ２４３に入力される。
【００５９】
駆動部２５５ａ，２５５ｂは、例えばボイスコイルモータであり、図５に白抜きの矢印で示すように、固定部２５１に対して可動部２５２ａ，２５２ｂをリニアガイド２５１ｇが延びる方向に沿ってそれぞれ移動させる。この場合、可動部２５２ａ，２５２ｂの移動方向に平行な方向において、固定ミラー２５３と可動ミラー２５４ａとの間の距離、可動ミラー２５４ａと可動ミラー２５４ｂとの間の距離および可動ミラー２５４ｂと可動ミラー２５４ｃとの間の距離が変化する。これにより、参照光の光路長を調整することができる。
【００６０】
ここで、参照光の光路長は、参照光が図３のポート２４５ｃから出力された後、可動ミラー２５４ｃにより反射された参照光がポート２４５ｃに入力されるまでの光学的な光路の長さである。参照光の光路長と測定光の光路長との差が一定の値以下のとき、参照光と測定光との干渉光が図３のポート２４５ｂから出力される。
【００６１】
本実施の形態においては、リニアガイド２５１ｇが延びる方向に沿って可動部２５２ａ，２５２ｂが互いに逆方向に移動するが、本発明はこれに限定されない。リニアガイド２５１ｇが延びる方向に沿って可動部２５２ａおよび可動部２５２ｂのいずれか一方のみが移動し、他方は移動しなくてもよい。この場合においては、他方の移動しない可動部２５２ａ，２５２ｂは、リニアガイド２５１ｇではなく固定部２５１または測定ヘッド２００の本体に非可動部として固定されてもよい。
【００６２】
駆動回路２５６ａ，２５６ｂは、図３の制御基板２１０に接続され、制御基板２１０による制御に基づいて駆動部２５５ａ，２５５ｂをそれぞれ駆動させる。読取部２５７ａ，２５７ｂは、例えば光学式のリニアエンコーダである。読取部２５７ａは、駆動部２５５ａの駆動量を読み取ることにより固定部２５１に対する可動部２５２ａの相対位置を検出し、検出結果を制御基板２１０に与える。読取部２５７ｂは、駆動部２５５ｂの駆動量を読み取ることにより固定部２５１に対する可動部２５２ｂの相対位置を検出し、検出結果を制御基板２１０に与える。
【００６３】
（４）合焦部
図６は、合焦部２６０の構成を示す模式図である。図６に示すように、合焦部２６０は、固定部２６１、可動部２６２、可動レンズ２６３、駆動部２６４、駆動回路２６５および読取部２６６を含む。可動部２６２は、一方向に沿って移動可能に固定部２６１に取り付けられる。可動レンズ２６３は、可動部２６２に取り付けられる。可動レンズ２６３は、対物レンズとして用いられ、自己を通過する測定光に焦点を付与する。
【００６４】
光ファイバ２４４から出力された測定光は、可動レンズ２６３を通して図３の走査部２７０に導かれる。また、図３の測定対象物Ｓにより反射された測定光の一部は、走査部２７０を通過した後、可動レンズ２６３を通して光ファイバ２４４に入力される。
【００６５】
駆動部２６４は、例えばボイスコイルモータであり、図６に太い矢印で示すように、固定部２６１に対して可動部２６２を一方向（測定光の進行方向）に移動させる。これにより、測定光の焦点を測定対象物Ｓの表面上に位置させることができる。
【００６６】
駆動回路２６５は、図３の制御基板２１０に接続され、制御基板２１０による制御に基づいて駆動部２６４を駆動させる。読取部２６６は、例えば光学式のリニアエンコーダであり、駆動部２６４の駆動量を読み取ることにより固定部２６１に対する可動部２６２（可動レンズ２６３）の相対位置を検出する。また、読取部２６６は、検出結果を制御基板２１０に与える。
【００６７】
なお、光ファイバ２４４と可動レンズ２６３との間に光ファイバ２４４から出力された測定光を平行化するコリメータレンズを配置してもよい。この場合、可動レンズ２６３に入射される測定光が平行化され、測定光のビーム径が可動レンズの移動位置によらず変化しないため、可動レンズを小型に形成することが可能となる。
【００６８】
（５）走査部
図７は、走査部２７０の構成を示す模式図である。図７に示すように、走査部２７０は、偏向部２７１，２７２、駆動回路２７３，２７４および読取部２７５，２７６を含む。偏向部２７１は、例えばガルバノミラーにより構成され、駆動部２７１ａおよび反射部２７１ｂを含む。駆動部２７１ａは、例えば略垂直方向の回転軸を有するモータである。反射部２７１ｂは、駆動部２７１ａの回転軸に取り付けられる。図３の光ファイバ２４４から合焦部２６０を通過した測定光は、反射部２７１ｂに導かれる。駆動部２７１ａが回転することにより、反射部２７１ｂで反射される測定光の反射角度が略水平面内で変化する。
【００６９】
偏向部２７２は、偏向部２７１と同様に、例えばガルバノミラーにより構成され、駆動部２７２ａおよび反射部２７２ｂを含む。駆動部２７２ａは、例えば水平方向の回転軸を有するモータである。反射部２７２ｂは、駆動部２７２ａの回転軸に取り付けられる。反射部２７１ｂにより反射された測定光は、反射部２７２ｂに導かれる。駆動部２７２ａが回転することにより、反射部２７２ｂで反射される測定光の反射角度が略垂直面内で変化する。
【００７０】
このように、駆動部２７１ａ，２７２ａが回転することにより、図３の測定対象物Ｓの表面上で測定光が互いに直交する二方向に走査される。これにより、測定対象物Ｓの表面上の任意の位置に測定光を照射することができる。測定対象物Ｓに照射された測定光は、測定対象物Ｓの表面で反射される。反射された測定光の一部は、反射部２７２ｂおよび反射部２７１ｂにより順次反射された後、図３の合焦部２６０に導かれる。
【００７１】
駆動回路２７３，２７４は、図３の制御基板２１０に接続され、制御基板２１０による制御に基づいて駆動部２７１ａ，２７２ａをそれぞれ駆動させる。読取部２７５，２７６は、例えば光学式のロータリエンコーダである。読取部２７５は、駆動部２７１ａの駆動量を読み取ることにより反射部２７１ｂの角度を検出し、検出結果を制御基板２１０に与える。読取部２７６は、駆動部２７２ａの駆動量を読み取ることにより反射部２７２ｂの角度を検出し、検出結果を制御基板２１０に与える。
【００７２】
（６）動作モード
図１の光走査高さ測定装置４００は、複数の動作モードから使用者により選択された動作モードで動作する。具体的には、動作モードは、設定モード、測定モードおよびハイトゲージモードを含む。図８は、光走査高さ測定装置４００の表示部３４０に表示される選択画面３４１の一例を示す図である。
【００７３】
図８に示すように、表示部３４０の選択画面３４１には、設定ボタン３４１ａ、測定ボタン３４１ｂおよびハイトゲージボタン３４１ｃが表示される。使用者が図１の操作部３３０を用いて設定ボタン３４１ａ、測定ボタン３４１ｂおよびハイトゲージボタン３４１ｃを操作することにより、光走査高さ測定装置４００が設定モード、測定モードおよびハイトゲージモードでそれぞれ動作する。
【００７４】
以下の説明では、使用者のうち測定対象物Ｓの測定作業を管理する熟練した使用者を適宜測定管理者と呼び、測定管理者の管理の下で測定対象物Ｓの測定作業を行う使用者を適宜測定作業者と呼ぶ。設定モードは主として測定管理者により使用され、測定モードは主として測定作業者により使用される。
【００７５】
ここで、光走査高さ測定装置４００においては、図２の測定領域Ｖを含む空間に固有の三次元座標系がＸ軸、Ｙ軸およびＺ軸により予め定義されている。ここで、Ｘ軸およびＹ軸は図２の光学定盤１１１に平行でかつ互いに直交し、Ｚ軸はＸ軸およびＹ軸に直交する。各動作モードにおいては、上記の座標系により特定される座標のデータおよび撮像部２２０の撮像により取得される画像上の平面座標のデータが制御部３１０と制御基板２１０との間で伝送される。図９は、各動作モードにおいて制御部３１０と制御基板２１０との間で伝送されるデータの内容を示す図である。
【００７６】
設定モードにおいては、測定管理者は、所望の測定対象物Ｓについての情報を光走査高さ測定装置４００に登録することができる。具体的には、測定管理者は、所望の測定対象物Ｓを図２の光学定盤１１１上に載置し、図３の撮像部２２０により測定対象物Ｓを撮像する。また、測定管理者は、図１の表示部３４０に表示された測定対象物Ｓの測定すべき部分を画像上で指定点として指定する。この場合、図９（ａ）に示すように、制御部３１０は、画像上で指定された指定点により特定される平面座標（Ｕａ，Ｖａ）を制御基板２１０に与える。
【００７７】
制御基板２１０は、図２の測定領域Ｖ内において平面座標（Ｕａ，Ｖａ）に対応する位置の三次元座標（Ｘｃ，Ｙｃ，Ｚｃ）を特定し、特定された三次元座標（Ｘｃ，Ｙｃ，Ｚｃ）を制御部３１０に与える。制御部３１０は、制御基板２１０により与えられた三次元座標（Ｘｃ，Ｙｃ，Ｚｃ）を図１の記憶部３２０に記憶させる。また、制御部３１０は、記憶部３２０に記憶された三次元座標（Ｘｃ，Ｙｃ，Ｚｃ）および後述する基準面等の情報に基づいて指定点に対応する部分の高さを算出し、算出結果を記憶部３２０に記憶させる。
【００７８】
測定モードは、設定モードにおいて光走査高さ測定装置４００に情報が登録された測定対象物Ｓと同一種類の測定対象物Ｓについて、指定点に対応する目標点の高さを測定するために用いられる。具体的には、測定作業者は、設定モードにおいて光走査高さ測定装置４００に情報が登録された測定対象物Ｓと同一種類の測定対象物Ｓを光学定盤１１１上に載置し、撮像部２２０により撮像する。この場合、図９（ｂ）に示すように、制御部３１０は、設定モードにおいて記憶部３２０に記憶された三次元座標（Ｘｃ，Ｙｃ，Ｚｃ）を制御基板２１０に与える。
【００７９】
制御基板２１０は、取得した三次元座標（Ｘｃ，Ｙｃ，Ｚｃ）に基づいて、目標点に対応する測定対象物Ｓの部分の三次元座標（Ｘｂ，Ｙｂ，Ｚｂ）を算出する。また、制御基板２１０は、算出された三次元座標（Ｘｂ，Ｙｂ，Ｚｂ）を制御部３１０に与える。制御部３１０は、制御基板２１０により与えられた三次元座標（Ｘｂ，Ｙｂ，Ｚｂ）および後述する基準面等の情報に基づいて目標点に対応する部分の高さを算出する。また、制御部３１０は、算出結果を図１の表示部３４０に表示させる。
【００８０】
このように、測定モードにおいては、測定作業者は測定対象物Ｓの測定すべき部分を指定することなく当該位置の高さを取得することができる。そのため、測定作業者が熟練していない場合でも、測定対象物の所望の部分の形状を容易かつ正確に測定することができる。また、設定モードにおいて三次元座標（Ｘｃ，Ｙｃ，Ｚｃ）が記憶部３２０に記憶されるので、測定モードにおいては、記憶された三次元座標（Ｘｃ，Ｙｃ，Ｚｃ）に基づいて目標点に対応する部分を高速に特定することができる。
【００８１】
本実施の形態においては、設定モードにおいて平面座標（Ｕａ，Ｖａ）に対応する三次元座標（Ｘｃ，Ｙｃ，Ｚｃ）が特定され、記憶部３２０に記憶されるが、本発明はこれに限定されない。設定モードにおいては、平面座標（Ｕａ，Ｖａ）に対応する平面座標（Ｘｃ，Ｙｃ）が特定され、Ｚ軸の成分Ｚｃが特定されなくてもよい。この場合、特定された平面座標（Ｘｃ，Ｙｃ）が記憶部３２０に記憶される。また、測定モードにおいては、記憶部３２０に記憶された平面座標（Ｘｃ，Ｙｃ）が制御基板２１０に与えられる。
【００８２】
ハイトゲージモードは、使用者が画面上で測定対象物Ｓを確認しながら、測定対象物Ｓの所望の部分を指定点として画面上で指定し、当該部分の高さを測定するために用いられる。具体的には、使用者は、所望の測定対象物Ｓを光学定盤１１１上に載置し、撮像部２２０により測定対象物Ｓを撮像する。また、使用者は、表示部３４０に表示された測定対象物Ｓの画像上で測定すべき部分を指定点として指定する。この場合、図９（ｃ）に示すように、制御部３１０は、画像上で指定された指定点により特定される平面座標（Ｕａ，Ｖａ）を制御基板２１０に与える。
【００８３】
制御基板２１０は、図２の測定領域Ｖ内において平面座標（Ｕａ，Ｖａ）に対応する位置の三次元座標（Ｘｃ，Ｙｃ，Ｚｃ）を特定し、特定された三次元座標（Ｘｃ，Ｙｃ，Ｚｃ）に基づいて指定点に対応する測定対象物Ｓの部分の三次元座標（Ｘｂ，Ｙｂ，Ｚｂ）を算出する。また、制御基板２１０は、算出された三次元座標（Ｘｂ，Ｙｂ，Ｚｂ）を制御部３１０に与える。制御部３１０は、制御基板２１０により与えられた三次元座標（Ｘｂ，Ｙｂ，Ｚｂ）および後述する基準面等の情報に基づいて指定点に対応する部分の高さを算出し、算出結果を表示部３４０に表示させる。
【００８４】
図１の記憶部３２０には、座標変換情報および位置変換情報が予め記憶されている。座標変換情報は、測定領域Ｖ内の高さ方向（Ｚ軸方向）の各位置における平面座標（Ｕａ，Ｖａ）に対応する平面座標（Ｘｃ，Ｙｃ）を示す。また、制御基板２１０は、図５の可動部２５２ａ，２５２ｂの位置と図７の反射部２７１ｂ，２７２ｂの角度とを制御することにより測定領域Ｖ内の所望の位置に測定光を照射することができる。位置変換情報は、測定領域Ｖ内の座標と可動部２５２ａ，２５２ｂの位置および反射部２７１ｂ，２７２ｂの角度との関係を示す。
【００８５】
制御部３１０および制御基板２１０により構成される制御系は、座標変換情報および位置変換情報を用いることにより、指定点または目標点に対応する位置の三次元座標（Ｘｃ，Ｙｃ，Ｚｃ）および三次元座標（Ｘｂ，Ｙｂ，Ｚｂ）を特定することができる。座標変換情報および位置変換情報の詳細は後述する。
【００８６】
ここで、周辺温度の影響等により、スタンド部１００および測定ヘッド２００を構成する各部材の寸法または部材間の距離が微小に変動することがある。その場合、測定値に微小な誤差が生じる。このような誤差を低減するため、本実施の形態では、指定点のうちの１つが指定補正点として設定され、予め定められた割り込み条件が満たされるごとに、指定補正点に対応する部分の高さの測定が行われる。その測定結果に基づいて、他の目標点に対応する測定対象物Ｓの部分の高さの補正が行われる。詳細は後述する。
【００８７】
（７）光走査高さ測定装置の制御系
（ａ）制御系の全体構成
図１０は、図１の光走査高さ測定装置４００の制御系を示すブロック図である。図１０に示すように、制御系４１０は、基準画像取得部１、位置情報取得部２、型指定部３、補正点設定部４、駆動制御部５、基準面取得部６、許容値取得部７、登録部８、偏向方向取得部９、検出部１０および画像解析部１１を含む。また、制御系４１０は、参照位置取得部１２、受光信号取得部１３、距離情報算出部１４、座標算出部１５、位置判定部１６、高さ算出部１７、測定画像取得部１８、型判定部１９、目標点設定部２０、検査部２１および報告書作成部２２をさらに含む。
【００８８】
図１の制御基板２１０および制御部３１０が記憶部３２０に記憶されたシステムプログラムを実行することにより、上記の制御系４１０の各構成部の機能が実現される。図１０においては、全ての動作モードにおける共通の処理の流れが実線で示され、設定モードにおける処理の流れが一点鎖線で示され、測定モードにおける処理の流れが点線で示される。後述する図４４においても同様である。ハイトケージモードにおける処理の流れは、設定モードにおける処理の流れと略等しい。以下、理解を容易にするために、制御系４１０の各構成部を設定モードと測定モードと分けて説明する。
【００８９】
（ｂ）設定モード
測定管理者は、所望の測定対象物Ｓを図２の光学定盤１１１上に載置し、図３の撮像部２２０により測定対象物Ｓを撮像する。基準画像取得部１は、撮像部２２０により生成される画像データを基準画像データとして取得し、取得された基準画像データに基づく画像を基準画像として図１の表示部３４０に表示させる。基準画像には、測定対象物Ｓに対応する基準対象画像が含まれる。表示部３４０に表示される基準画像は、静止画像であってもよく、順次更新される動画像であってもよい。測定管理者は、表示部３４０に表示された基準画像上において、測定すべき部分を指定測定点として指定するとともに、指定基準点を指定することができる。指定基準点は、測定対象物Ｓの高さを算出する際の基準となる基準面を定めるための点である。
【００９０】
位置情報取得部２は、基準画像取得部１により取得された基準画像上における指定測定点の指定を受け付け、受け付けられた指定測定点の位置（上記の平面座標（Ｕａ，Ｖａ））を取得する。また、位置情報取得部２は、基準画像を用いて指定基準点の指定を受け付け、受け付けられた指定基準点の位置を取得する。位置情報取得部２は、指定測定点を複数受け付けることも可能であり、基準点を複数受け付けることも可能である。以下の説明では、適宜、指定測定点と指定基準点とを総称して指定点と呼ぶ。位置情報取得部２は、受け付けた指定点の位置を示す位置情報を生成する。
【００９１】
型指定部３は、位置情報取得部２により受け付けられた各指定点が非追従型であるか追従型であるかの指定を受け付け、各指定点の型（各指定点が非追従型であるか追従型であるかの区別）を示す型情報を生成する。測定管理者は、基準画面上の各指定点の型を指定することができる。指定点の型の詳細については後述する。
【００９２】
補正点設定部４は、位置情報取得部２により指定された複数の指定点のうち型指定部３により非追従型が指定された指定点の１つを指定補正点として設定する。補正点設定部４は、測定管理者による指定に基づいて割り込み条件を設定する。例えば、割り込み条件は、一定の時間（以下、補正基準時間と呼ぶ。）が経過することであってもよい。また、補正基準時間は、予め定められた固定値であってもよく、使用者が任意に設定可能であってもよい。
【００９３】
駆動制御部５は、図３の昇降部１３０の読取部１３３から測定ヘッド２００の位置を取得し、取得された測定ヘッド２００の位置に基づいて図３の駆動回路１３２を制御する。これにより、測定ヘッド２００が上下方向の所望の位置に移動される。また、駆動制御部５は、図６の合焦部２６０の読取部２６６から可動レンズ２６３の位置を取得し、取得された可動レンズ２６３の位置に基づいて図６の駆動回路２６５を制御する。これにより、測定対象物Ｓの表面付近で測定光に焦点が付与されるように可動レンズ２６３が移動される。
【００９４】
また、駆動制御部５は、図１の記憶部３２０に記憶された位置変換情報と位置情報取得部２により取得された位置とに基づいて、図７の駆動回路２７３，２７４および図５の駆動回路２５６ａ，２５６ｂを制御する。これにより、図７の偏向部２７１，２７２の反射部２７１ｂ，２７２ｂの角度が調整され、指定点（指定補正点を含む。以下の説明においても同様である。）に対応する測定対象物Ｓの部分に測定光が順次照射される。また、測定光の光路長が変化することに応じて、測定光の光路長と参照光の光路長との差が一定の値以下になるように参照光の光路長が調整される。上記の駆動制御部５の動作により、後述するように指定点に対応する測定対象物Ｓの部分の座標が座標算出部１５により算出される。駆動制御部５の動作の詳細は後述する。
【００９５】
基準面取得部６は、位置情報取得部２により取得された１以上の指定基準点に対応して座標算出部１５により算出された１以上の座標に基づいて基準面を取得する。測定管理者は、位置情報取得部２により取得された指定測定点について、高さに対する許容値を入力することができる。許容値は、後述する測定モードにおける測定対象物Ｓの検査に用いられ、設計値と設計値からの公差とを含む。許容値取得部７は、入力された許容値を受け付ける。
【００９６】
登録部８は、基準画像取得部１により取得された基準画像データ、位置情報取得部２により生成された位置情報、型指定部３により生成された型情報、補正点設定部４により設定された指定補正点に関する情報および許容値取得部７により設定された許容値を対応付けることにより登録情報を生成する。具体的には、登録部８は、基準画像データと、各指定点の位置と、各指定点の型と、各測定値に対応する許容値との関連性を示す登録情報を記憶部３２０に記憶させる。複数の基準面が設定されてもよい。この場合、登録部８は、基準面ごとに、当該基準面に対応する指定基準点と、当該基準面に対応する指定測定点と、各測定値に対応する許容値とを関連付けて登録する。
【００９７】
偏向方向取得部９は、図７の読取部２７５，２７６から反射部２７１ｂ，２７２ｂの角度をそれぞれ取得する。検出部１０は、偏向方向取得部９により取得された反射部２７１ｂ，２７２ｂの角度に基づいて偏向部２７１，２７２の偏向方向をそれぞれ検出する。また、撮像部２２０による撮像が継続されることにより、基準画像には測定対象物Ｓ上の測定光が現れる。画像解析部１１は、基準画像取得部１により取得された基準画像データを解析する。検出部１０は、画像解析部１１の解析結果に基づいて偏向部２７１，２７２により偏向された測定光の基準画像上の照射位置を示す平面座標を検出する。
【００９８】
参照位置取得部１２は、図５の参照部２５０の読取部２５７ａ，２５７ｂから可動部２５２ａ，２５２ｂの位置をそれぞれ取得する。受光信号取得部１３は、図４の受光部２３２ｄから受光信号を取得する。距離情報算出部１４は、受光部２３２ｄにより取得された受光信号に基づいて、干渉光の波長と受光量との関係を示すデータに所定の演算および処理を行う。この演算および処理は、例えば波長から波数への周波数軸変換および波数のフーリエ変換を含む。
【００９９】
距離情報算出部１４は、処理により得られたデータと参照位置取得部１２により取得された可動部２５２ａ，２５２ｂの位置とに基づいて、図２の測定ヘッド２００における測定光の出射位置と測定対象物Ｓにおける測定光の照射位置との間の距離を示す距離情報を算出する。測定ヘッド２００における測定光の出射位置は、例えば図３のファイバカプラ２４５のポート２４５ｄの位置である。
【０１００】
座標算出部１５は、検出部１０により検出された偏向部２７１，２７２の偏向方向と距離情報算出部１４により算出された距離情報とに基づいて、測定対象物Ｓ上の測定光の照射位置の三次元座標（Ｘｃ，Ｙｃ，Ｚｃ）を算出する。測定光の照射位置の三次元座標（Ｘｃ，Ｙｃ，Ｚｃ）は、高さ方向の座標Ｚｃと、高さ方向に直交する平面内における平面座標（Ｘｃ，Ｙｃ）とからなる。
【０１０１】
座標算出部１５は、例えば三角測距方式を用いて、検出部１０により検出される測定光の基準画像上の照射位置を示す平面座標と偏向部２７１，２７２の偏向方向とに基づいて測定対象物Ｓ上の測定光の照射位置の三次元座標を算出してもよい。あるいは、座標算出部１５は、検出部１０により検出される測定光の基準画像上の照射位置を示す平面座標と距離情報算出部１４により算出される距離情報とに基づいて測定対象物Ｓ上の測定光の照射位置の三次元座標を算出してもよい。
【０１０２】
位置判定部１６は、指定点に対応する測定対象物Ｓの部分またはその近傍の部分に測定光が照射されているか否かを判定する。具体的には、座標算出部１５は、算出された高さ方向の座標と記憶部３２０に記憶された座標変換情報とに基づいて、登録部８により登録された指定点に対応する平面座標（後述する平面座標（Ｘａ’，Ｙａ’））を取得する。また、位置判定部１６は、座標算出部１５により算出された平面座標（Ｘｃ，Ｙｃ）が指定点に対応する平面座標（Ｘａ’，Ｙａ’）から予め定められた範囲内にあるか否かを判定する。
【０１０３】
あるいは、画像解析部１１は、基準画像データを画像解析することにより、基準画像における測定光の照射位置の平面座標（後述する平面座標（Ｕｃ，Ｖｃ））を特定してもよい。この場合、位置判定部１６は、画像解析部１１により特定された測定光の照射位置の平面座標（Ｕｃ，Ｖｃ）が登録部８により登録された指定点の平面座標（Ｕａ，Ｖａ）から予め定められた範囲内にあるか否かを判定する。
【０１０４】
指定点に対応する測定対象物Ｓの部分およびその近傍の部分に測定光が照射されていないと位置判定部１６により判定された場合には、駆動制御部５は、測定光の照射位置が移動するように図７の駆動回路２７３，２７４および図５の駆動回路２５６ａ，２５６ｂを制御する。指定点に対応する測定対象物Ｓの部分またはその近傍の部分に測定光が照射されていると位置判定部１６により判定された場合には、駆動制御部５は測定光の照射位置が固定されるように駆動回路２７３，２７４および駆動回路２５６ａ，２５６ｂを制御する。
【０１０５】
座標算出部１５は、指定点のうち指定基準点について算出された座標を基準面取得部６に与える。高さ算出部１７は、指定点のうち指定測定点に対応して座標算出部１５により算出された三次元座標（Ｘｃ，Ｙｃ，Ｚｃ）に基づいて、基準面取得部６により取得された基準面を基準とする測定対象物Ｓの部分の高さを算出する。例えば、高さ算出部１７は、基準面が平面である場合、三次元座標（Ｘｃ，Ｙｃ，Ｚｃ）を通る基準面の垂線における基準面から三次元座標（Ｘｃ，Ｙｃ，Ｚｃ）までの長さを高さとして算出する。高さ算出部１７は、算出された高さを表示部３４０に表示させる。登録部８は、座標算出部１５により算出された三次元座標（Ｘｃ，Ｙｃ，Ｚｃ）および高さ算出部１７により算出された高さを基準画像データ、各指定点の位置、各指定点の型および許容値と関連付けて登録情報として登録する。
【０１０６】
（ｃ）測定モード
測定作業者は、設定モードにおいて登録情報が登録された測定対象物Ｓと同一種類の測定対象物Ｓを図２の光学定盤１１１上に載置し、図３の撮像部２２０により撮像する。測定画像取得部１８は、撮像部２２０により生成される画像データを測定画像データとして取得し、取得された測定画像データに基づく画像を測定画像として図１の表示部３４０に表示させる。測定画像には、測定対象物Ｓに対応する測定対象画像が含まれる。型判定部１９は、登録情報における型情報に基づいて、位置情報により示される各指定点が非追従型であるか追従型であるかを判定する。
【０１０７】
目標点設定部２０は、登録情報における基準画像データに基づく基準画像と測定画像取得部１８により取得された測定画像データに基づく測定画像との比較、および登録情報における位置情報に基づいて、基準画像上の各指定点に対応する目標点を測定画像上に設定する。具体的には、型判定部１９により各指定測定点が非追従型であると判定された場合に、目標点設定部２０は、基準画像上の当該指定点の絶対位置に対応する測定画像上の位置に目標点を設定する。ここで、絶対位置とは、上述した固有の三次元座標系により定まる絶対的な位置を意味する。一方で、型判定部１９により各指定点が追従型であると判定された場合に、目標点設定部２０は、測定対象画像と目標点との相対的な位置関係が基準対象画像と当該指定点との相対的な位置関係と一致するように測定画像上に目標点を設定する。
【０１０８】
目標点は、指定測定点に対応する目標測定点と、指定基準点に対応する目標基準点とを含む。また、指定補正点に対応する目標点を目標補正点と呼ぶ。各指定測定点が非追従型であると判定された場合に、目標点設定部２０は、基準画像上の当該指定測定点の絶対位置に対応する測定画像上の位置に目標測定点を設定する。一方、各指定測定点が追従型であると判定された場合に、目標点設定部２０は、測定対象画像と目標測定点との相対的な位置関係が基準対象画像と当該指定測定点との相対的な位置関係と一致するように測定画像上に目標測定点を設定する。
【０１０９】
また、各指定基準点が非追従型であると判定された場合に、目標点設定部２０は、基準画像上の当該指定基準点の絶対位置に対応する測定画像上の位置に目標基準点を設定する。一方、各指定基準点が追従型であると判定された場合に、目標点設定部２０は、測定対象画像と目標基準点との相対的な位置関係が基準対象画像と当該指定基準点との相対的な位置関係と一致するように測定画像上に目標基準点を設定する。
【０１１０】
なお、測定画像における測定対象画像の特定方式として、目標点設定部２０は、測定画像を基準画像に対して相対的に並進移動または回転移動させることにより測定画像における測定対象画像を特定してもよい。あるいは、目標点設定部２０は、基準画像に含まれる被写体のエッジ部分の形状と測定画像に含まれる被写体のエッジ部分の形状との比較に基づいて測定画像における測定対象画像を特定してもよい。
【０１１１】
駆動制御部５は、設定モードにおいて登録部８により登録された登録情報に基づいて、図７の駆動回路２７３，２７４および図５の駆動回路２５６ａ，２５６ｂを制御する。これにより、目標点設定部２０により設定された目標点（目標補正点を含む。以下の説明においても同様である。）に対応する測定対象物Ｓの部分に測定光が順次照射される。目標補正点に対応する測定対象物Ｓの部分への測定光の照射は、補正点設定部４により設定された割り込み条件が満たされるごとに行われる。
【０１１２】
目標点設定部２０により設定された目標点に対応する測定対象物Ｓの部分の三次元座標が座標算出部１５により算出される。ここで、駆動制御部５は、設定モードにおいて登録された三次元座標および高さに基づいて制御を行うので、座標算出部１５は、目標点設定部２０により設定された目標点に対応する測定対象物Ｓの部分の三次元座標を効率よく算出することができる。
【０１１３】
測定モードにおける偏向方向取得部９および検出部１０の処理は、設定モードにおける偏向方向取得部９および検出部１０の処理とそれぞれ同様である。測定モードにおける画像解析部１１の処理は、基準画像取得部１により取得された基準画像データに代えて測定画像取得部１８により取得された測定画像データが用いられる点を除き、設定モードにおける画像解析部１１の処理と同様である。測定モードにおける参照位置取得部１２、受光信号取得部１３および距離情報算出部１４の処理は、設定モードにおける参照位置取得部１２、受光信号取得部１３および距離情報算出部１４の処理とそれぞれ同様である。
【０１１４】
座標算出部１５は、検出部１０により検出された偏向部２７１，２７２の偏向方向と距離情報算出部１４により算出された距離情報とに基づいて、測定対象物Ｓ上の測定光の照射位置の三次元座標（Ｘｂ，Ｙｂ，Ｚｂ）を算出する。座標算出部１５は、検出部１０により検出される測定光の測定画像上の照射位置を示す平面座標と距離情報算出部１４により算出される距離情報とに基づいて測定対象物Ｓ上の測定光の照射位置の三次元座標（Ｘｂ，Ｙｂ，Ｚｂ）を算出してもよい。測定光の照射位置の三次元座標（Ｘｂ，Ｙｂ，Ｚｂ）は、高さ方向の座標Ｚｂと、高さ方向に直交する平面内における平面座標（Ｘｂ，Ｙｂ）とからなる。
【０１１５】
測定モードにおける位置判定部１６の処理は、登録部８により登録された指定点に代えて目標点設定部２０により設定された目標点を用いる点、および三次元座標（Ｘｃ，Ｙｃ，Ｚｃ）に代えて三次元座標（Ｘｂ，Ｙｂ，Ｚｂ）を用いる点を除き、設定モードにおける位置判定部１６の処理と同様である。これにより、座標算出部１５は、目標点設定部２０により設定された目標点に対応する座標を算出する。
【０１１６】
基準面取得部６は、座標算出部１５により算出された目標基準点に対応する座標に基づいて基準面を取得する。高さ算出部１７は、座標算出部１５により算出された三次元座標（Ｘｂ，Ｙｂ，Ｚｂ）に基づいて、目標測定点に対応する測定対象物Ｓの部分の高さを基準面取得部６により取得された基準面を基準として算出する。また、高さ算出部１７は、座標算出部１５により算出された目標基準点に対応する三次元座標（Ｘｂ，Ｙｂ，Ｚｂ）に基づいて目標補正点に対応する部分の高さを算出し、割り込み条件が満たされる前後における高さの変化に基づいて、他の目標測定点に対応する部分の高さを補正する。高さの補正については後述する。
【０１１７】
本例においては、割り込み条件は補正基準時間が経過することであるが、本発明はこれに限定されない。割り込み条件は、測定光の照射回数に関する条件を含んでもよい。例えば、１回の指定補正点の測定が行われた後、順次指定点または目標点に対応する部分に測定光が照射され、予め定められた数の点に測定光が照射されると、指定補正点の測定が再度行われる。
【０１１８】
あるいは、割り込み条件は、測定光の照射位置の移動距離に関する条件を含んでもよい。例えば、１回の点の測定が行われた後、順次点に測定光が照射され、その複数の点の間の距離の累計が予め定められた距離に達すると、指定補正点の測定が再度行われる。測定の目的および条件等に応じて割り込み条件を設定することにより、適切なタイミングで指定補正点の測定を行うことができ、指定点または目標点に対応する部分の高さを適切に補正することができる。なお、補正点設定部４は、測定管理者による指定に基づいて補正機能をオフにすることも可能である。この場合、上記の高さの補正は行われない。
【０１１９】
検査部２１は、高さ算出部１７により算出された測定対象物Ｓの部分の高さと登録部８に登録された許容値とに基づいて測定対象物Ｓを検査する。具体的には、算出された高さが設計値を基準とする公差の範囲内である場合には、検査部２１は、測定対象物Ｓは良品であると判定する。一方、算出された高さが設計値を基準とする公差の範囲外である場合には、検査部２１は、測定対象物Ｓは不良品であると判定する。
【０１２０】
報告書作成部２２は、検査部２１による検査結果と測定画像取得部１８により取得された基準画像に基づいて報告書を作成する。これにより、測定作業者は報告書を用いて測定対象物Ｓについての高さの測定値または検査結果を測定管理者または他の使用者に容易に報告することができる。報告書は、予め決定された記載様式に従って作成される。図１１は、報告書作成部２２により作成される報告書の一例を示す図である。
【０１２１】
図１１の記載様式においては、報告書４２０は、名称表示欄４２１、画像表示欄４２２、状況表示欄４２３、結果表示欄４２４および保証表示欄４２５を含む。名称表示欄４２１には、報告書４２０の名称（図１１の例では「検査成績書」）が表示される。画像表示欄４２２には、検査対象の測定画像が表示される。状況表示欄４２３には、検査対象の名称、検査対象の識別番号、測定作業者の氏名および検査日時等が表示される。
【０１２２】
結果表示欄４２４には、検査対象についての検査結果が表示される。具体的には、結果表示欄４２４には、検査対象に設定された種々の検査項目の名称、測定値および判定結果が、設計値および公差と対応付けられた状態で一覧表の形式で表示される。保証表示欄４２５は、署名または押印されるための空欄である。測定作業者および測定管理者は、保証表示欄４２５に署名または押印することにより検査結果を保証することができる。
【０１２３】
報告書作成部２２は、検査部２１により良品と判定された測定対象物Ｓについてのみ報告書４２０を作成してもよい。このような報告書４２０は、検査対象の製品を顧客に納品する際に、製品の品質を保証するために納品書に添付される。また、報告書作成部２２は、検査部２１により不良品と判定された測定対象物Ｓについてのみ報告書４２０を作成してもよい。このような報告書４２０は、検査対象の製品が不良品であると判定された原因を解析するために自社で用いられる。
【０１２４】
本実施の形態においては、報告書４２０の結果表示欄４２４に測定対象物Ｓの部分の高さの測定値と当該部分について設定された検査項目の判定結果とが対応付けられた状態で表示されるが、本発明はこれに限定されない。報告書４２０の結果表示欄４２４に高さの測定値および検査項目の判定結果のいずれか一方が表示され、他方が表示されなくてもよい。
【０１２５】
（ｄ）ハイトゲージモード
使用者は、所望の測定対象物Ｓを図２の光学定盤１１１上に載置し、図３の撮像部２２０により測定対象物Ｓを撮像する。基準画像取得部１は、撮像部２２０により生成される画像データを取得し、取得された画像データに基づく画像を図１の表示部３４０に表示させる。使用者は、表示部３４０に表示された画像上において、指定点を指定する。
【０１２６】
位置情報取得部２は、基準画像取得部１により取得された画像上における測定点の指定を受け付け、受け付けられた測定点の位置（上記の平面座標（Ｕａ，Ｖａ））を取得する。位置情報取得部２は、指定点を複数受け付けることも可能である。
【０１２７】
駆動制御部５は、図１の記憶部３２０に記憶された位置変換情報と位置情報取得部２により取得された位置とに基づいて、図７の駆動回路２７３，２７４および図５の駆動回路２５６ａ，２５６ｂを制御する。これにより、指定点に対応する測定対象物Ｓの部分に測定光が順次照射されるとともに、参照光の光路長が調整される。
【０１２８】
上記の駆動制御部５の動作により、指定点に対応する測定対象物Ｓの部分の座標が座標算出部１５により算出される。基準面取得部６は、位置情報取得部２により取得された基準点に対応して座標算出部１５により算出された座標に基づいて基準面を取得する。
【０１２９】
ハイトゲージモードにおける偏向方向取得部９、検出部１０、画像解析部１１、参照位置取得部１２、受光信号取得部１３および距離情報算出部１４の処理は、設定モードにおける偏向方向取得部９、検出部１０、画像解析部１１、参照位置取得部１２、受光信号取得部１３および距離情報算出部１４の処理とそれぞれ同様である。
【０１３０】
座標算出部１５は、検出部１０により検出された偏向部２７１，２７２の偏向方向または測定光の照射位置と距離情報算出部１４により算出された距離情報に基づいて、測定対象物Ｓ上の測定光の照射位置の三次元座標（Ｘｂ，Ｙｂ，Ｚｂ）を算出する。座標算出部１５は、検出部１０により検出される測定光の測定画像上の照射位置を示す平面座標と距離情報算出部１４により算出される距離情報とに基づいて測定対象物Ｓ上の測定光の照射位置の三次元座標（Ｘｂ，Ｙｂ，Ｚｂ）を算出してもよい。ハイトゲージモードにおける位置判定部１６および高さ算出部１７の処理は、設定モードにおける位置判定部１６および高さ算出部１７の処理とそれぞれ同様である。
【０１３１】
（８）制御系の全体的な動作フロー
図１２〜図１６は、図１の光走査高さ測定装置４００において実行される光走査高さ測定処理の一例を示すフローチャートである。以下に示す一連の処理は、光走査高さ測定装置４００の電源がオン状態にあるときに、制御部３１０および制御基板２１０により一定周期で実行される。なお、光走査高さ測定処理には、後述する指定測定処理および実測定処理が含まれる。以下の説明では、光走査高さ測定処理のうち指定測定処理および実測定処理が制御基板２１０により実行され、光走査高さ測定処理のうち他の処理が制御部３１０により実行されるが、本発明はこれに限定されない。例えば光走査高さ測定処理の全ての処理が制御基板２１０または制御部３１０により実行されてもよい。
【０１３２】
初期状態においては、図２の光学定盤１１１上に測定対象物Ｓが載置された状態で、光走査高さ測定装置４００の電源がオンされているものとする。このとき、図１の表示部３４０には、図８の選択画面３４１が表示される。
【０１３３】
光走査高さ測定処理が開始されると、制御部３１０は、使用者の操作部３３０の操作により設定モードが選択されたか否かを判定する（ステップＳ１０１）。より具体的には、制御部３１０は、使用者により図８の設定ボタン３４１ａが操作されたか否かを判定する。
【０１３４】
制御部３１０は、設定モードが選択されない場合、後述する図１５のステップＳ２０１の処理に進む。一方、制御部３１０は、設定モードが選択された場合、図１の表示部３４０に後述する図２４の設定画面３５０を表示させる（ステップＳ１０２）。設定画面３５０においては、撮像部２２０により一定周期で取得される図２の測定領域Ｖの基準画像がリアルタイムに表示される。
【０１３５】
本実施の形態に係る光走査高さ測定装置４００においては、図１０の目標点設定部２０の設定機能を実現するために、設定モードにおいて基準対象画像およびサーチ領域を設定しておく必要がある。基準対象画像は、使用者により指定された時点で表示される基準画像の全領域のうち少なくとも測定対象物Ｓを含む部分の画像を意味する。また、サーチ領域は、設定モードで基準対象画像が設定された後に、測定モードにおいて測定画像内で基準対象画像に類似する測定対象画像をサーチする範囲（撮像部２２０の撮像視野内の範囲）を意味する。
【０１３６】
そこで、制御部３１０は、使用者の操作部３３０の操作によりサーチ領域の指定があったか否かを判定する（ステップＳ１０３）。制御部３１０は、サーチ領域の指定がない場合、後述するステップＳ１０５の処理に進む。一方、制御部３１０は、サーチ領域の指定がある場合、指定されたサーチ領域の情報を記憶部３２０に記憶することにより設定する（ステップＳ１０４）。
【０１３７】
次に、制御部３１０は、使用者の操作部３３０の操作により基準対象画像の指定があったか否かを判定する（ステップＳ１０５）。制御部３１０は、基準対象画像の指定がない場合、後述するステップＳ１０７の処理に進む。一方、制御部３１０は、基準対象画像の指定がある場合、指定された基準対象画像の情報を記憶部３２０に記憶することにより設定する（ステップＳ１０６）。なお、基準対象画像の情報には、基準画像における当該基準対象画像の位置を示す情報も含まれる。使用者による基準対象画像およびサーチ領域の具体的な設定例については後述する。
【０１３８】
次に、制御部３１０は、ステップＳ１０４，Ｓ１０６の処理により、サーチ領域および基準対象画像が設定されたか否かを判定する（ステップＳ１０７）。制御部３１０は、サーチ領域および基準対象画像のうち少なくとも一方が設定されていない場合、ステップＳ１０３の処理に戻る。一方、制御部３１０は、サーチ領域および基準対象画像が設定されている場合、基準面の設定が受け付けられたか否かを判定する（ステップＳ１０８）。
【０１３９】
制御部３１０は、ステップＳ１０８で基準面の設定を受け付けた場合、使用者の操作部３３０の操作により表示部３４０に表示される基準画像上で指定基準点の指定を受けたか否かを判定する（ステップＳ１０９）。制御部３１０は、指定基準点の指定を受けない場合、後続のステップＳ１１１の処理に進む。一方、制御部３１０は、指定基準点の指定を受けた場合、制御基板２１０に、指定測定処理を指令するとともに、基準画像上で指定された指定基準点により特定される平面座標（Ｕａ，Ｖａ）を与える（図９（ａ）参照）。それにより、制御基板２１０は、指定測定処理を行うとともに（ステップＳ１１０）、指定測定処理により特定された座標（Ｘｃ，Ｙｃ，Ｚｃ）を制御部３１０に与える。詳細は後述する。また、指定測定処理の詳細についても後述する。
【０１４０】
その後、制御部３１０は、使用者の操作部３３０の操作により指定基準点の指定が完了したか否かを判定する（ステップＳ１１１）。制御部３１０は、指定基準点の指定が完了していない場合、ステップＳ１０９の処理に戻る。一方、制御部３１０は、指定基準点の指定が完了した場合、ステップＳ１１０の指定測定処理で取得された１または複数の座標（Ｘｃ，Ｙｃ，Ｚｃ）に基づいて基準面を設定する（ステップＳ１１２）。本例では、１または複数の指定基準点に対応する座標（Ｘｃ，Ｙｃ，Ｚｃ）に基づいて基準面の座標を示す情報、例えば、各指定基準点に対応する平面座標（Ｘｃ，Ｙｃ）または各指定基準点に対応する座標（Ｘｃ，Ｙｃ，Ｚｃ）が記憶部３２０に記憶される。
【０１４１】
ここで、基準面の座標を示す情報は、基準面を決定するための基準面拘束条件を含んでもよい。基準面拘束条件には、例えば、基準面が載置面に平行であること、または基準面は予め記憶された他の面に平行であること等の条件が含まれる。基準面が載置面に平行であるという基準面拘束条件の場合、１つの指定基準点に対する座標（Ｘｂ，Ｙｂ，Ｚｂ）が指定されると、Ｚ＝Ｚｂで表される平面が基準面として取得されることとなる。
【０１４２】
制御部３１０は、上記のステップＳ１１２の処理後あるいはステップＳ１０８で基準面の設定を受け付けていない場合、受け付けられる設定が測定対象物Ｓの測定に関する設定であるか否かを判定する（ステップＳ１２１）。より具体的には、制御部３１０は、受け付けられる設定が指定測定点の設定であるか否かを判定する。
【０１４３】
制御部３１０は、受け付けられる設定が測定に関する設定でない場合、使用者の操作部３３０の操作による当該設定に関する情報を取得し、記憶部３２０に記憶する（ステップＳ１３０）。ここで取得される情報には、例えば、上記の許容値、測定モード時に測定画像上に表示させるべき指標およびコメント等の情報が挙げられる。その後、制御部３１０は、後述するステップＳ１２８の処理に進む。
【０１４４】
制御部３１０は、ステップＳ１２１において受け付けられる設定が測定に関する設定であった場合、使用者の操作部３３０の操作により表示部３４０に表示される基準画像上で指定測定点の指定を受けたか否かを判定する（ステップＳ１２２）。制御部３１０は、指定測定点の指定を受けない場合、後続のステップＳ１２４の処理に進む。一方、制御部３１０は、指定測定点の指定を受けた場合、上記のステップＳ１１０と同様に、制御基板２１０に、指定測定処理を指令するとともに、基準画像上で指定された指定測定点により特定される平面座標（Ｕａ，Ｖａ）を与える。それにより、制御基板２１０は、指定測定処理を行うとともに（ステップＳ１２３）、指定測定処理により特定された座標（Ｘｃ，Ｙｃ，Ｚｃ）を制御部３１０に与える。
【０１４５】
その後、制御部３１０は、使用者の操作部３３０の操作により指定測定点の指定が完了したか否かを判定する（ステップＳ１２４）。制御部３１０は、指定測定点の指定が完了していない場合、ステップＳ１２２の処理に戻る。
【０１４６】
一方、制御部３１０は、指定測定点の指定が完了した場合、ステップＳ１２３の指定測定処理で取得された１または複数の指定測定点の座標（Ｘｃ，Ｙｃ，Ｚｃ）を記憶部３２０に記憶することにより指定測定点の設定を行う（ステップＳ１２５）。ここで、制御部３１０は、ステップＳ１０９，Ｓ１２２で指定された各指定測定点の型（各指定点が非追従型であるか追従型であるかの区別）を設定する（ステップＳ１２６）。指定測定点の型の設定については後述する。
【０１４７】
次に、制御部３１０は、指定補正点を設定する（ステップＳ１２７）。具体的には、ステップＳ１２６で設定された非追従型の指定点の１つが指定補正点として設定される。指定補正点は、複数の非追従型の指定点から使用者により選択されてもよい。あるいは、複数の指定点のうち、予め定められた選択条件で選択された指定点（例えば最初に指定された非追従型の指定点）が指定補正点に設定されてもよい。複数の指定点のうち、平均的な座標を有する指定点が指定補正点に設定されてもよい。複数の指定点のうち、基準面に対する高さが最も大きいか、または最も小さい指定点が指定補正点に設定されてもよい。本例では、割り込み条件として、補正基準時間が予め定められる。割り込み条件は、使用者によって指定されてもよい。また、使用者は、補正機能をオフにすることも可能である。この場合、ステップＳ１２７はスキップされる。
【０１４８】
上記のステップＳ１２７，Ｓ１３０のいずれかの処理後、制御部３１０は、指定点の設定の完了が指令されたか、または新たな設定が指令されたかを判定する（ステップＳ１２８）。制御部３１０は、新たな設定が指令された場合、すなわち設定の完了が指令されない場合、ステップＳ１０８の処理に戻る。
【０１４９】
次に、制御部３１０は、上記のステップＳ１０３〜Ｓ１１２，Ｓ１２１〜Ｓ１２７，Ｓ１３０のいずれかにおいて設定された情報を互いに関連付けて登録情報として登録する（ステップＳ１２９）。その後、光走査高さ測定処理が設定モードで終了する。登録される登録情報のファイルは、使用者により特定のファイル名が付された上で記憶部３２０に保存される。このとき、ステップＳ１０３〜Ｓ１１２，Ｓ１２１〜Ｓ１２７，Ｓ１３０のいずれかにおいて、設定のために一時的に記憶部３２０に記憶された情報が消去されてもよい。
【０１５０】
ここで、ステップＳ１２９において、制御部３１０は、上記のステップＳ１１２の処理により基準面が設定されている場合、基準面と特定された座標（Ｘｃ，Ｙｃ，Ｚｃ）とに基づいて指定点の高さを算出し、算出結果を登録情報に含める。なお、上記のステップＳ１２５の時点で基準面が既に設定されている場合、ステップＳ１２５において、設定された基準面と特定された座標（Ｘｃ，Ｙｃ，Ｚｃ）とに基づいて指定点の高さが算出されてもよい。この場合、算出結果が指定点の高さとして設定画面３５０（後述する図２９）に表示されてもよい。また、上記のステップＳ１２７の時点で基準面が既に設定されている場合、ステップＳ１２７において、設定された基準面と特定された座標（Ｘｃ，Ｙｃ，Ｚｃ）とに基づいて指定補正点の高さが算出されてもよい。
【０１５１】
上記のステップＳ１０１において、設定モードが選択されない場合、制御部３１０は、使用者の操作部３３０の操作により測定モードが選択されたか否かを判定する（ステップＳ２０１）。より具体的には、制御部３１０は、使用者により図８の測定ボタン３４１ｂが操作されたか否かを判定する。制御部３１０は、測定モードが選択された場合、図１の表示部３４０に後述する図３４の測定画面３６０を表示させる（ステップＳ２０２）。測定画面３６０においては、撮像部２２０により一定周期で取得される図２の測定領域Ｖの測定画像がリアルタイムに表示される。
【０１５２】
次に、制御部３１０は、使用者の操作部３３０の操作により登録情報のファイルが指定されたか否かを判定する（ステップＳ２０３）。具体的には、使用者により登録情報のファイル名の指定があったか否かを判定する。制御部３１０は、ファイルの指定がない場合、ファイルの指定を受けるまで待機状態となる。一方、制御部３１０は、ファイルの指定を受けると、指定された登録情報のファイルを記憶部３２０から読み込む（ステップＳ２０４）。なお、制御部３１０は、指定された登録情報のファイルが記憶部３２０に記憶されていない場合、指定されたファイルが存在しないことを示す情報を表示部３４０に表示してもよい。
【０１５３】
次に、制御部３１０は、読み込んだ登録情報から登録された基準対象画像の情報を取得し、取得した基準対象画像を表示部３４０に表示される測定画像上に重畳表示する（ステップＳ２０５）。このとき、制御部３１０は、基準対象画像に加えてサーチ領域も取得する。なお、上記のように、基準対象画像の情報には、基準画像における当該基準対象画像の位置を示す情報も含まれる。そのため、基準対象画像は、設定モードで設定された位置と同じ位置で測定画像上に重畳表示される。
【０１５４】
ここで、基準対象画像は半透明で表示されてもよい。この場合、使用者は、現在撮像されている測定対象物Ｓの測定対象画像と設定モード時に取得された測定対象物Ｓの基準対象画像とを容易に比較することができる。その上で、使用者は、光学定盤１１１上の測定対象物Ｓの位置決め作業を行うことができる。
【０１５５】
次に、制御部３１０は、基準対象画像と測定対象画像との対比を行う（ステップＳ２０６）。具体的には、制御部３１０は、基準対象画像における測定対象物Ｓのエッジを基準エッジとして抽出するとともに、取得されたサーチ領域内で基準エッジに対応する形状のエッジが存在しないか否かをサーチする。
【０１５６】
この場合、測定対象画像における測定対象物Ｓのエッジ部分が、最も基準エッジに類似すると考えられる。そこで、制御部３１０は、基準エッジに最も類似する測定対象画像の部分が検出されると、検出された部分が画像上で基準エッジからどれだけずれているのかを算出するとともに、検出された部分が画像上で基準エッジからどれだけ回転しているのかを算出する（ステップＳ２０７）。
【０１５７】
次に、制御部３１０は、読み込んだ登録情報から登録された指定点の情報を取得し、取得された指定点に対応する目標点を設定する（ステップＳ２０８）。具体的には、指定点が非追従型である場合には、制御部３１０は、基準画像上の当該指定点の絶対位置に対応する測定画像上の位置に目標点を設定する。したがって、指定点が指定補正点である場合には、目標補正点が設定される。一方、指定点が追従型である場合には、制御部３１０は、算出されたずれ量および回転量に基づいて、測定対象画像と目標点との相対的な位置関係が基準対象画像と当該指定点との相対的な位置関係と一致するように測定画像上に目標点を設定する。
【０１５８】
これらのステップＳ２０６〜Ｓ２０８の処理が、図１０の目標点設定部２０の機能に相当する。この構成によれば、測定画像における測定対象画像が基準画像における基準対象画像に対して変位または回転している場合でも、目標点を高い精度で容易に特定することができる。
【０１５９】
次に、制御部３１０は、制御基板２１０に、目標補正点の実測定処理を指令するとともに、目標補正点の座標（Ｘｃ，Ｙｃ，Ｚｃ）を与える。それにより、制御基板２１０は、目標補正点の実測定処理を行うとともに（ステップＳ２０９）、実測定処理により特定された座標（Ｘｂ，Ｙｂ，Ｚｂ）を制御部３１０に与える。実測定処理の詳細は後述する。
【０１６０】
次に、制御部３１０は、登録された基準面の情報と取得された座標（Ｘｂ，Ｙｂ，Ｚｂ）とに基づいて目標補正点の高さを算出する（ステップＳ２１０）。算出された目標補正点の高さは、記憶部３２０に記憶される。
【０１６１】
次に、制御部３１０は、図１のタイマ３１５からの時間情報に基づいて、直近のステップＳ２１０の処理から予め定められた補正基準時間が経過したか否かを判定する（ステップＳ２１１）。補正基準時間が経過した場合、制御部３１０は、ステップＳ２０９に戻る。これにより、指定補正点の高さが再度算出され、記憶部３２０に記憶される。
【０１６２】
補正基準時間が経過していない場合、制御部３１０は、設定されている全ての目標測定点の高さが算出されたか否かを判定する（ステップＳ２１２）。全ての目標測定点の高さが算出された場合、光走査高さ測定処理が測定モードで終了する。
【０１６３】
全ての目標測定点の高さが算出されていない場合、制御部３１０は、制御基板２１０に、高さが算出されていないいずれかの目標測定点を対象として実測定処理を指令するとともに、その目標測定点の座標（Ｘｃ，Ｙｃ，Ｚｃ）を与える（図９（ｂ）参照）。それにより、制御基板２１０は、対象の目標測定点の実測定処理を行うとともに（ステップＳ２１３）、実測定処理により特定された座標（Ｘｂ，Ｙｂ，Ｚｂ）を制御部３１０に与える。
【０１６４】
次に、制御部３１０は、登録された基準面の情報と取得された座標（Ｘｂ，Ｙｂ，Ｚｂ）とに基づいて、目標測定点の高さを算出する（ステップＳ２１４）。次に、制御部３１０は、記憶部３２０に記憶されている指定補正点の高さに基づいて、対象の目標測定点の高さを補正する。目標測定点の高さの補正については後述する。補正後の目標測定点の高さは、記憶部３２０に記憶される。
【０１６５】
次に、制御部３１０は、登録された他の情報に応じた各種処理を行う（ステップＳ２１６）。登録された他の情報に応じた各種処理として、例えば読み込んだ登録情報に許容値が含まれる場合には、高さの算出結果が許容値で設定される公差の範囲内であるか否かを判定する検査処理があってもよい。その後、ステップＳ２１１に戻る。
【０１６６】
上記のステップＳ２０１において、測定モードが選択されない場合、制御部３１０は、使用者の操作部３３０の操作によりハイトゲージモードが選択されたか否かを判定する（ステップＳ２２１）。より具体的には、制御部３１０は、使用者により図８のハイトゲージボタン３４１ｃが操作されたか否かを判定する。制御部３１０は、ハイトゲージモードが選択されない場合、ステップＳ１０１の処理に戻る。
【０１６７】
一方、制御部３１０は、ハイトゲージモードが選択された場合、図１の表示部３４０に後述する図２４の設定画面３５０を表示させる（ステップＳ２２２）。その後、制御部３１０は、使用者の操作部３３０の操作に基づいて基準面の設定を行う（ステップＳ２２３）。この設定処理は、上記のステップＳ１０９〜Ｓ１１２の処理と同じである。
【０１６８】
その後、制御部３１０は、指定測定点の指定を受けた場合、制御基板２１０に、指定測定処理を指令するとともに、画像上で指定された指定測定点により特定される平面座標（Ｕａ，Ｖａ）を与える（図９（ｃ）参照）。それにより、制御基板２１０は、指定測定処理を行う（ステップＳ２２４）。また、制御基板２１０は、指定測定処理により特定された座標（Ｘｃ，Ｙｃ，Ｚｃ）と位置変換情報とに基づいて図５の可動部２５２ａ，２５２ｂの位置および図７の反射部２７１ｂ，２７２ｂの角度を調整して測定光を照射する（ステップＳ２２５）。
【０１６９】
続いて、制御基板２１０は、図４の受光部２３２ｄから出力される受光信号、図５の可動部２５２ａ，２５２ｂの位置、および図７の偏向部２７１，２７２の偏向方向に基づいて、測定対象物Ｓ上で測定光が照射される部分の三次元座標（Ｘｂ，Ｙｂ，Ｚｂ）を算出し、制御部３１０に与える（ステップＳ２２６）。
【０１７０】
なお、制御基板２１０は、上記のステップＳ２２５において、図４の受光部２３２ｄから出力される受光信号、図５の可動部２５２ａ，２５２ｂの位置、および図１の撮像部２２０により取得される画像上の測定光の照射位置を示す平面座標に基づいて、測定対象物Ｓ上で測定光が照射される部分の三次元座標（Ｘｂ，Ｙｂ，Ｚｂ）を算出してもよい。
【０１７１】
次に、制御部３１０は、設定された基準面の情報を取得し、基準面と取得された座標（Ｘｂ，Ｙｂ，Ｚｂ）とに基づいて測定対象物Ｓ上で測定光が照射される部分の高さを算出し、算出結果を測定結果として表示部３４０に表示する。例えば、制御部３１０は、基準面が平面である場合、取得された座標（Ｘｂ，Ｙｂ，Ｚｂ）を通る基準面の垂線を引いたときの基準面から座標（Ｘｂ，Ｙｂ，Ｚｂ）までの垂線の長さを高さとして算出し、算出結果を測定結果として表示部３４０に表示する。また、制御部３１０は、撮像部２２０により取得される画像上の測定光の照射位置を示す平面座標または画像上で指定された指定測定点により特定される平面座標に、指定測定点に対応する測定対象物Ｓの部分の高さを算出できたことを示す緑色の「＋」印を表示部３４０に表示する（ステップＳ２２７）。
【０１７２】
続いて、制御部３１０は、使用者の操作部３３０の操作により追加の指定測定点が指定されたか否かを判定する（ステップＳ２２８）。追加の指定測定点が指定された場合、制御部３１０は、ステップＳ２２４の処理に戻る。これにより、追加の指定測定点が指定されなくなるまでステップＳ２２４〜Ｓ２２８の処理が繰り返される。追加の指定測定点が指定されない場合、光走査高さ測定処理がハイトゲージモードで終了する。
【０１７３】
上記のハイトゲージモードによれば、使用者は、画像上で指定基準点を指定することにより、基準面を指定することができる。また、使用者は、指定測定点を画面上で指定することにより、高さの測定結果を取得することができる。さらに、使用者は、複数の指定測定点を指定することにより、引き続き基準面を維持したまま測定を継続することができる。
【０１７４】
（９）指定測定処理の一例
図１７および図１８は、制御基板２１０による指定測定処理の一例を示すフローチャートである。図１９および図２０は、図１７および図１８の指定測定処理を説明するための説明図である。図１９（ａ），（ｂ），（ｃ）および図２０（ａ），（ｂ）の各々では、左側に光学定盤１１１上に載置される測定対象物Ｓと撮像部２２０および走査部２７０との位置関係が側面図で示されるとともに、右側に撮像部２２０の撮像により表示部３４０に表示される画像（基準画像）が示される。表示部３４０に表示される画像には、測定対象物Ｓの画像ＳＩが含まれる。以下の説明では、表示部３４０に表示される画像上の平面座標を画面座標と呼ぶ。
【０１７５】
制御基板２１０は、制御部３１０から指定測定処理の指令を受けることにより、指定測定処理を開始する。そこで、制御基板２１０は、制御部３１０から指令とともに与えられる画面座標（Ｕａ，Ｖａ）を取得する（ステップＳ３０１）。
【０１７６】
図１９（ａ）の右側においては、表示部３４０に表示される画像上に画面座標（Ｕａ，Ｖａ）が示される。また、図１９（ａ）の左側においては、画面座標（Ｕａ，Ｖａ）に対応する測定対象物Ｓの部分が点Ｐ０で示される。
【０１７７】
ステップＳ３０１において、画面座標（Ｕａ，Ｖａ）に対応する点Ｐ０の座標のうちＺ軸の成分（高さ方向の成分）は不明である。そこで、制御基板２１０は、使用者により指定された点Ｐ０のＺ軸の成分を「Ｚａ」と仮定する（ステップＳ３０２）。この場合、図１９（ｂ）に示すように、仮定されるＺ軸の成分は、実際に指定された点Ｐ０のＺ軸の成分に一致するとは限らない。
【０１７８】
次に、制御基板２１０は、上記の座標変換情報に基づいてＺ軸の成分が仮定された「Ｚａ」であるときの画面座標（Ｕａ，Ｖａ）に対応する平面座標（Ｘａ，Ｙａ）を算出する（ステップＳ３０３）。それにより、図１９（ｂ）に示すように、画面座標（Ｕａ，Ｖａ）および仮定されたＺ軸の成分に対応する仮想点Ｐ１の座標（Ｘａ，Ｙａ，Ｚａ）が得られる。なお、本例では、「Ｚａ」は図２の測定領域Ｖ内のＺ方向における中間位置とする。
【０１７９】
次に、制御基板２１０は、ステップＳ３０３の処理により得られる座標（Ｘａ，Ｙａ，Ｚａ）および位置変換情報に基づいて図５の可動部２５２ａ，２５２ｂの位置および図７の反射部２７１ｂ，２７２ｂの角度を調整して測定光を照射する（ステップＳ３０４）。
【０１８０】
この場合、ステップＳ３０２で仮定されるＺ軸の成分が実際に指定された点Ｐ０のＺ軸の成分から大きくずれていると、図１９（ｃ）の左側の側面図に示すように、測定対象物Ｓ上の測定光の照射位置が実際に指定された点Ｐ０から大きくずれる。そこで、以降の処理が行われる。
【０１８１】
ステップＳ３０４の処理により、撮像部２２０により取得される画像上には、走査部２７０から測定対象物Ｓに照射される測定光の照射部分（光スポット）が現れる。この場合、測定光の照射部分の画面座標は画像処理等を用いて容易に検出することができる。図１９（ｃ）の右側の図では、表示部３４０に表示される画像上に現れる測定光の照射部分（光スポット）が丸印で示される。
【０１８２】
制御基板２１０は、ステップＳ３０４の処理後、撮像部２２０により取得される画像上で測定光の照射位置を示す平面座標を画面座標（Ｕｃ，Ｖｃ）として検出するとともに、図７の反射部２７１ｂ，２７２ｂの角度から測定光の偏向方向を検出する（ステップＳ３０５）。
【０１８３】
次に、制御基板２１０は、検出された画面座標（Ｕｃ，Ｖｃ）および偏向方向に基づいて測定対象物Ｓまたは光学定盤１１１上の測定光の照射位置Ｐ２の座標を座標（Ｘｃ，Ｙｃ，Ｚｃ）とする（ステップＳ３０６）。
【０１８４】
ここで、図１９（ｃ）に示すように、照射位置Ｐ２が点Ｐ０からずれていると、画面座標（Ｕｃ，Ｖｃ）も画面座標（Ｕａ，Ｖａ）からずれる。そこで、制御基板２１０は、画面座標（Ｕａ，Ｖａ）に対する検出された画面座標（Ｕｃ，Ｖｃ）の誤差（Ｕａ−Ｕｃ，Ｖａ−Ｖｃ）を算出するとともに、算出された誤差が予め定められた判定範囲内であるか否かを判定する（ステップＳ３０７）。このとき用いられる判定範囲は、使用者により設定可能であってもよいし、光走査高さ測定装置４００の工場出荷時に予め設定されていてもよい。
【０１８５】
ステップＳ３０７において、誤差（Ｕａ−Ｕｃ，Ｖａ−Ｖｃ）が予め定められた判定範囲内である場合、制御基板２１０は、直前のステップＳ３０６で定められた座標（Ｘｃ，Ｙｃ，Ｚｃ）を使用者により指定された座標として特定し（ステップＳ３０８）、指定測定処理を終了する。その後、制御基板２１０は、特定された座標（Ｘｃ，Ｙｃ，Ｚｃ）を制御部３１０に与える。
【０１８６】
ステップＳ３０７において、誤差（Ｕａ−Ｕｃ，Ｖａ−Ｖｃ）が予め定められた判定範囲外である場合、制御基板２１０は、上記の誤差（Ｕａ−Ｕｃ，Ｖａ−Ｖｃ）に基づいて測定光の偏向方向を調整する（ステップＳ３０９）。具体的には、例えばＸ軸およびＹ軸に対応する画面座標上の誤差と反射部２７１ｂ，２７２ｂの調整すべき角度との関係を誤差対応関係として予め記憶部３２０に記憶させておく。その上で、制御基板２１０は、図２０（ａ）に白抜きの矢印で示すように、算出された誤差（Ｕａ−Ｕｃ，Ｖａ−Ｖｃ）と誤差対応関係とに基づいて測定光の偏向方向を微調整する。
【０１８７】
その後、制御基板２１０は、ステップＳ３０５の処理に戻る。それにより、測定光の偏向方向が微調整された上で再度ステップＳ３０５〜Ｓ３０７の処理が行われる。その結果、最終的に、図２０（ｂ）に示すように、誤差（Ｕａ−Ｕｃ，Ｖａ−Ｖｃ）が判定範囲内となることにより、指定点に対応する座標（Ｘｃ，Ｙｃ，Ｚｃ）が特定される。
【０１８８】
本例では、照射位置Ｐ２の座標（Ｘｃ，Ｙｃ，Ｚｃ）の座標がステップＳ３０６の処理により算出されるが、本発明はこれに限定されない。照射位置Ｐ２の座標（Ｘｃ，Ｙｃ，Ｚｃ）は、後述する図２１および図２２の指定測定処理におけるステップＳ４０５，Ｓ４０６の処理により算出されてもよい。
【０１８９】
（１０）指定測定処理の他の例
図２１および図２２は、制御基板２１０による指定測定処理の他の例を示すフローチャートである。図２３は、図２１および図２２の指定測定処理を説明するための説明図である。図２３（ａ），（ｂ）の各々では、左側に光学定盤１１１上に載置される測定対象物Ｓと撮像部２２０および走査部２７０との位置関係が側面図で示されるとともに、右側に撮像部２２０の撮像により表示部３４０に表示される画像（測定画像）が示される。
【０１９０】
指定測定処理が開始されると、制御基板２１０は、制御部３１０から指令とともに与えられる画面座標（Ｕａ，Ｖａ）を取得する（ステップＳ４０１）。続いて、制御基板２１０は、上記のステップＳ３０２の処理と同様に、使用者により指定された点Ｐ０のＺ軸の成分を「Ｚａ」と仮定する（ステップＳ４０２）。この場合、図１９（ｂ）の例と同様に、仮定されるＺ軸の成分は、実際に指定された点Ｐ０のＺ軸の成分に一致するとは限らない。
【０１９１】
次に、制御基板２１０は、上記のステップＳ３０３の処理と同様に、Ｚ軸の成分が仮定された「Ｚａ」であるときの画面座標（Ｕａ，Ｖａ）に対応する平面座標（Ｘａ，Ｙａ）を算出する（ステップＳ４０３）。また、制御基板２１０は、上記のステップＳ３０４の処理と同様に、ステップＳ４０３の処理により得られる仮想点Ｐ１の座標（Ｘａ，Ｙａ，Ｚａ）および位置変換情報に基づいて図５の可動部２５２ａ，２５２ｂの位置および図７の反射部２７１ｂ，２７２ｂの角度を調整して測定光を照射する（ステップＳ４０４）。ステップＳ４０４において、使用者により指定される点Ｐ０と測定対象物Ｓに照射される測定光の照射位置との関係は、上記の図１９（ｃ）の状態と同じである。その後、測定対象物Ｓ上の測定光の照射位置が実際に指定された点Ｐ０に一致するかまたは近づくように、以降の処理が行われる。
【０１９２】
まず、制御基板２１０は、図５の可動部２５２ａ，２５２ｂの位置を検出するとともに、図７の反射部２７１ｂ，２７２ｂの角度から測定光の偏向方向を検出する（ステップＳ４０５）。
【０１９３】
次に、制御基板２１０は、直前のステップＳ４０５で検出された可動部２５２ａ，２５２ｂの位置と図４の受光部２３２ｄにより取得される受光信号とに基づいて測定光の出射位置と測定対象物Ｓにおける測定光の照射位置との間の距離を算出する。また、制御基板２１０は、算出された距離および直前のステップＳ４０５で検出された測定光の偏向方向に基づいて測定対象物Ｓまたは光学定盤１１１上の測定光の照射位置Ｐ２の座標を座標（Ｘｃ，Ｙｃ，Ｚｃ）とする（ステップＳ４０６）。
【０１９４】
上記のステップＳ４０６の処理により、測定光の照射位置Ｐ２のＺ軸の成分「Ｚｃ」は、使用者により指定された点Ｐ０のＺ軸の成分に一致するかまたは近い値であると推定される。そこで、制御基板２１０は、座標変換情報に基づいてＺ軸の成分が仮定された「Ｚｃ」であるときの画面座標（Ｕａ，Ｖａ）に対応する平面座標（Ｘａ’，Ｙａ’）を算出する（ステップＳ４０７）。それにより、図２３（ａ）に示すように、画面座標（Ｕａ，Ｖａ）および仮定されたＺ軸の成分に対応する仮想点Ｐ３の座標（Ｘａ’，Ｙａ’，Ｚｃ）が得られる。
【０１９５】
次に、制御基板２１０は、仮想点Ｐ３の平面座標（Ｘａ’，Ｙａ’）に対する照射位置Ｐ２の平面座標（Ｘｃ，Ｙｃ）の誤差（Ｘａ’−Ｘｃ，Ｙａ’−Ｙｃ）を算出するとともに、算出された誤差が予め定められた判定範囲内であるか否かを判定する（ステップＳ４０８）。このとき用いられる判定範囲は、使用者により設定可能であってもよいし、光走査高さ測定装置４００の工場出荷時に予め設定されていてもよい。
【０１９６】
ステップＳ４０８において、誤差（Ｘａ’−Ｘｃ，Ｙａ’−Ｙｃ）が予め定められた判定範囲内である場合、制御基板２１０は、直前のステップＳ４０６で定められた照射位置Ｐ２の座標（Ｘｃ，Ｙｃ，Ｚｃ）を使用者により指定された座標として特定し（ステップＳ４０９）、指定測定処理を終了する。その後、制御基板２１０は、特定された座標（Ｘｃ，Ｙｃ，Ｚｃ）を制御部３１０に与える。
【０１９７】
ステップＳ４０８において、誤差（Ｘａ’−Ｘｃ，Ｙａ’−Ｙｃ）が予め定められた判定範囲外である場合、制御基板２１０は、直前のステップＳ４０７で得られた仮想点Ｐ３の座標（Ｘａ’，Ｙａ’，Ｚｃ）を上記のステップＳ４０４で測定光の照射対象となる座標（Ｘａ，Ｙａ，Ｚａ）とする（ステップＳ４１０）。その後、制御基板２１０は、上記のステップＳ４０４の処理に戻る。
【０１９８】
それにより、測定光の偏向方向が変更された上で再度ステップＳ４０４〜Ｓ４０８の処理が行われる。その結果、最終的に、図２３（ｂ）に示すように、誤差（Ｘａ’−Ｘｃ，Ｙａ’−Ｙｃ）が判定範囲内となることにより、指定点に対応する座標（Ｘｃ，Ｙｃ，Ｚｃ）が特定される。
【０１９９】
本例では、照射位置Ｐ２の座標（Ｘｃ，Ｙｃ，Ｚｃ）の座標がステップＳ４０５，Ｓ４０６の処理により算出されるが、本発明はこれに限定されない。照射位置Ｐ２の座標（Ｘｃ，Ｙｃ，Ｚｃ）の座標は、図１７および図１８の指定測定処理におけるステップＳ３０６の処理により算出されてもよい。
【０２００】
（１１）実測定処理
制御基板２１０は、制御部３１０から実測定処理の指令を受けることにより、実測定処理を開始する。実測定処理が開始されると、制御基板２１０は、まず制御部３１０から指令とともに与えられる座標（Ｘｃ，Ｙｃ，Ｚｃ）を取得する。
【０２０１】
ここで、設定モードで設定された指定点の座標（Ｘｃ，Ｙｃ，Ｚｃ）と位置変換情報とに基づいて測定光を照射しても、測定モードで測定される測定対象物Ｓの形状によっては、測定対象物Ｓ上の測定光の照射位置の指定点の座標から大きくずれる場合がある。
【０２０２】
例えば、目標点に対応する測定対象物Ｓの部分のＺ軸の成分が「Ｚｃ」から大きくずれていると、測定光の照射位置の平面座標も設定された指定点の平面座標（Ｘｃ，Ｙｃ）から大きくずれる。そこで、実測定処理では、測定光の照射位置の平面座標が指定点の平面座標（Ｘｃ，Ｙｃ）から一定の範囲内に収まるように調整される。
【０２０３】
具体的には、制御基板２１０は、例えば取得された目標点の座標（Ｘｃ，Ｙｃ，Ｚｃ）に対応する画面座標を（Ｕａ，Ｖａ）とした上で、取得された目標点の座標（Ｘｃ，Ｙｃ，Ｚｃ）を図１７のステップＳ３０３の処理で得られる仮想点Ｐ１の座標（Ｘａ，Ｙａ，Ｚａ）とする。次に、制御基板２１０は、図１７および図１８のステップＳ３０４〜Ｓ３０８の処理を行う。続いて、制御基板２１０は、ステップＳ３０８の処理で特定された座標（Ｘｃ，Ｙｃ，Ｚｃ）と位置変換情報とに基づいて図５の可動部２５２ａ，２５２ｂの位置および図７の反射部２７１ｂ，２７２ｂの角度を調整して測定光を照射する。
【０２０４】
続いて、制御基板２１０は、図４の受光部２３２ｄから出力される受光信号、図５の可動部２５２ａ，２５２ｂの位置、および図７の偏向部２７１，２７２の偏向方向に基づいて、測定対象物Ｓ上で測定光が照射される部分の三次元座標（Ｘｂ，Ｙｂ，Ｚｂ）を算出し、制御部３１０に与える。それにより、実測定処理が終了する。なお、制御基板２１０は、図４の受光部２３２ｄから出力される受光信号、図５の可動部２５２ａ，２５２ｂの位置、および図１の撮像部２２０により取得される画像上の測定光の照射位置を示す平面座標に基づいて、測定対象物Ｓ上で測定光が照射される部分の三次元座標（Ｘｂ，Ｙｂ，Ｚｂ）を算出してもよい。
【０２０５】
あるいは、制御基板２１０は、以下のように実測定処理を実行してもよい。制御基板２１０は、例えば取得された目標点の座標（Ｘｃ，Ｙｃ，Ｚｃ）に対応する画面座標を（Ｕａ，Ｖａ）とした上で、取得された目標点の座標（Ｘｃ，Ｙｃ，Ｚｃ）を図２１のステップＳ４０３の処理で得られる仮想点Ｐ１の座標（Ｘａ，Ｙａ，Ｚａ）とする。次に、制御基板２１０は、図２１および図２２のステップＳ４０４〜Ｓ４０９の処理を行う。続いて、制御基板２１０は、ステップＳ４０８の処理で特定された座標（Ｘｃ，Ｙｃ，Ｚｃ）と位置変換情報とに基づいて図５の可動部２５２ａ，２５２ｂの位置および図７の反射部２７１ｂ，２７２ｂの角度を調整して測定光を照射する。
【０２０６】
その後、制御基板２１０は、上記の例と同様に、図４の受光部２３２ｄから出力される受光信号、図５の可動部２５２ａ，２５２ｂの位置、および図７の偏向部２７１，２７２の偏向方向に基づいて、測定対象物Ｓ上で測定光が照射される部分の三次元座標（Ｘｂ，Ｙｂ，Ｚｂ）を算出し、制御部３１０に与える。または、制御基板２１０は、図４の受光部２３２ｄから出力される受光信号、図５の可動部２５２ａ，２５２ｂの位置、および図１の撮像部２２０により取得される画像上の測定光の照射位置を示す平面座標に基づいて、測定対象物Ｓ上で測定光が照射される部分の三次元座標（Ｘｂ，Ｙｂ，Ｚｂ）を算出し、制御部３１０に与える。
【０２０７】
（１２）設定モードおよび測定モードを用いた操作例
図２４〜図３０は、設定モードにおける光走査高さ測定装置４００の操作例を説明するための図である。以下では、光走査高さ測定装置４００の使用者を測定管理者と測定作業者とに区別して説明する。
【０２０８】
まず、測定管理者は、高さ測定の基準となる測定対象物Ｓを光学定盤１１１上に位置決めし、図１の操作部３３０を用いて図８の設定ボタン３４１ａを操作する。それにより、光走査高さ測定装置４００が設定モードの動作を開始する。この場合、例えば図２４に示すように、図１の表示部３４０に設定画面３５０が表示される。設定画面３５０は、画像表示領域３５１およびボタン表示領域３５２を含む。画像表示領域３５１には、現在撮像されている測定対象物Ｓの画像を含む基準画像ＲＩが表示される。図２４〜図３０の各図および後述する図３１〜図３６の各図では、画像表示領域３５１に表示される基準画像ＲＩおよび後述する測定画像ＭＩのうち測定対象物Ｓの形状を示す輪郭が太い実線で示される。
【０２０９】
設定モードの開始時点には、ボタン表示領域３５２に、サーチ領域ボタン３５２ａ、基準対象画像ボタン３５２ｂおよび設定完了ボタン３５２ｃが表示される。測定管理者は、例えばサーチ領域ボタン３５２ａを操作し、画像表示領域３５１上でドラッグ操作等を行う。それにより、図２４に点線で示すようにサーチ領域ＳＲを設定する。また、測定管理者は、例えば基準対象画像ボタン３５２ｂを操作し、画像表示領域３５１上でドラッグ操作等を行う。それにより、図２４に一点鎖線で示すように基準対象画像ＰＩを設定することができる。
【０２１０】
測定管理者は、サーチ領域ＳＲおよび基準対象画像ＰＩの設定を行った後、設定完了ボタン３５２ｃを操作する。それにより、サーチ領域ＳＲおよび基準対象画像ＰＩの設定が完了するとともに、設定画面３５０の表示態様が図２５に示すように切り替わる。具体的には、画像表示領域３５１において、設定されたサーチ領域ＳＲおよび基準対象画像ＰＩを示す指標が除去される。また、ボタン表示領域３５２において、図２４のサーチ領域ボタン３５２ａおよび基準対象画像ボタン３５２ｂに代えて、点指定ボタン３５２ｄおよび基準面設定ボタン３５２ｅが表示される。
【０２１１】
測定管理者は、点指定ボタン３５２ｄを操作し、画像表示領域３５１上でクリック操作等を行う。それにより、図２６に「＋」印で示すように１または複数（本例では４つ）の指定基準点が指定される。その後、測定管理者は、基準面設定ボタン３５２ｅを操作する。それにより、指定された１または複数の指定基準点を含む基準面が設定され、図２７に二点鎖線で示すように、画像表示領域３５１に設定された基準面ＲＦを示す指標が表示される。ここで、４以上の指定基準点が指定される場合には、４以上の全ての指定基準点が必ずしも基準面ＲＦに含まれる必要はない。この場合、基準面ＲＦは、例えば複数の指定基準点との間の距離が全体的に小さくなるように設定される。同様に、基準面を決定するための基準面拘束条件が定められている場合、例えば、基準面が載置面に平行であること、または基準面が予め記憶された他の面と平行であること等の条件が定められている場合において、２以上の指定基準点が指定される場合には、２以上の全ての指定基準点が必ずしも基準面ＲＦに含まれる必要はない。なお、基準面ＲＦは、点指定ボタン３５２ｄおよび基準面設定ボタン３５２ｅの操作が繰り返されることにより複数設定されてもよい。
【０２１２】
その後、測定管理者は、設定完了ボタン３５２ｃを操作する。それにより、基準面ＲＦの設定が完了するとともに、設定画面３５０の表示態様が図２８に示すように切り替わる。具体的には、画像表示領域３５１において、基準面ＲＦの設定に用いられた１または複数の指定基準点を示す指標が除去される。また、ボタン表示領域３５２において、図２７の基準面設定ボタン３５２ｅに代えて、型指定ボタン３５２ｆおよび許容値ボタン３５２ｇが表示される。
【０２１３】
測定管理者は、点指定ボタン３５２ｄを操作し、画像表示領域３５１上でクリック操作等を行う。それにより、図２９に「＋」印で示すように、指定測定点が指定される。このとき、複数の基準面ＲＦが設定されている場合、指定された指定測定点の基準となる基準面ＲＦとして設定された複数の基準面ＲＦの中から一の選択を受け付ける。また、指定された指定測定点について、上記の指定測定処理が行われ、指定測定点の測定点高さを算出できたときには、その高さが画像表示領域３５１上に表示される。このとき「＋」印の色を例えば緑色に変化させることにより、高さを算出できたことを示してもよい。
【０２１４】
一方、指定された指定測定点について、上記の指定測定処理が行われ、高さを算出できないときには、「ＦＡＩＬ」等のエラーメッセージが画像表示領域３５１上に表示されてもよい。このとき「＋」印の色を例えば赤色に変化させることにより、高さを算出できないことを示してもよい。
【０２１５】
複数の指定測定点が指定されている場合、測定経路情報を指定可能であってもよい。例えば、複数の指定測定点の指定順通りに測定経路を設定する、あるいは、測定時間の短縮のために、複数の指定測定点の位置に基づいて、最短の測定経路が導出されてもよい。指定測定点の指定時に、測定管理者は、さらに許容値ボタン３５２ｇを操作することにより、指定測定点ごとに許容値として設計値および公差を設定することができる。
【０２１６】
また、測定管理者は、型指定ボタン３５２ｆを操作することにより、指定点ごとに非追従型であるか追従型であるかの区別を指定することができる。具体的には、型指定ボタン３５２ｆが指定されると、図３０に示すように、ボタン表示領域３５２に複数のチェックボックスＣＢおよび戻るボタンＲＢが表示される。複数のチェックボックスＣＢは、複数の指定点にそれぞれ対応する。測定管理者は、所望のチェックボックスＣＢを操作することにより、対応する指定点の型を非追従型と追従型とで切り替えることができる。なお、本例においては、チェックボックスＣＢがオン状態である場合、対応する指定点が追従型に指定される。図３０の例では、４つの指定基準点が非追従型に指定され、２つの指定測定点が追従型に指定されている。
【０２１７】
ボタン表示領域３５２には、全部のチェックボックスＣＢを一律にオン状態にするためのボタンおよび全部のチェックボックスＣＢを一律にオフ状態にするためのボタンが設けられてもよい。測定管理者は、指定した非追従型の指定点の１つを指定補正点に設定することができる。また、測定管理者は、戻るボタンＲＢを操作することにより、設定画面３５０の表示を図３０から図２９に戻すことができる。
【０２１８】
最後に、測定管理者は、設定完了ボタン３５２ｃを操作する。それにより、複数の指定測定点および許容値を含む一連の情報が互いに関連付けられて登録情報として記憶部３２０に記憶される。このとき、登録情報は、特定のファイル名が付与される。なお、このファイル名は、測定管理者により設定可能であってもよい。
【０２１９】
図２６〜図３０に示すように、基準画像ＲＩには、測定管理者により指定された指定点の位置を示す指標「＋」が重畳表示される。これにより、測定管理者は、測定対象物Ｓの基準画像ＲＩ上に重畳表示された指標を視認することにより、指定された指定点を容易に確認することができる。ここで、本発明においては、設定モードにおける指定点の設定の順は上記の例に限定されない。指定点の設定は、以下のように行われてもよい。
【０２２０】
図３１〜図３３は、設定モードにおける光走査高さ測定装置４００の他の操作例を説明するための図である。本例では、サーチ領域ＳＲおよび基準対象画像ＰＩの設定後、図３１に示すように、ボタン表示領域３５２に、設定完了ボタン３５２ｃ、点指定ボタン３５２ｄ、基準面設定ボタン３５２ｅ、型指定ボタン３５２ｆ、許容値ボタン３５２ｇ、基準点設定ボタン３５２ｈおよび測定点設定ボタン３５２ｉが表示される。
【０２２１】
この状態で、測定管理者は、点指定ボタン３５２ｄを操作し、画像表示領域３５１上でクリック操作等を行う。このとき、測定管理者は、図３１に「＋」印で示すように、複数（本例では６つ）の指定点を指定する。
【０２２２】
次に、測定管理者は、指定した指定点ごとに、基準点設定ボタン３５２ｈまたは測定点設定ボタン３５２ｉを操作することにより、当該指定点を指定基準点として用いるのか指定測定点として用いるのかを決定する。さらに、測定管理者は、１または複数の指定点を指定基準点として決定した後、基準面設定ボタン３５２ｅを操作する。それにより、図３２に示すように、画像表示領域３５１に点線の「＋」印で示すように１または複数（本例では４つ）の指定基準点が表示される。また、二点鎖線で示すように１または複数の指定基準点に基づく基準面が表示される。さらに、実線の「＋」印で示すように１または複数（本例では２つ）の指定測定点が表示される。型指定ボタン３５２ｆを操作することにより、各指定点の型を指定することができる。
【０２２３】
その後、図３３に示すように、指定された指定測定点の高さが画像表示領域３５１上に表示される。このとき、測定管理者は、上記の例と同様に、許容値ボタン３５２ｇを操作することにより、指定測定点ごとに許容値として設計値および公差を設定することができる。最後に、測定管理者は、設定完了ボタン３５２ｃを操作する。
【０２２４】
図３４〜図３６は、測定モードにおける光走査高さ測定装置４００の操作例を説明するための図である。測定作業者は、高さ測定の対象となる測定対象物Ｓを光学定盤１１１上に位置決めし、図１の操作部３３０を用いて図８の測定ボタン３４１ｂを操作する。それにより、光走査高さ測定装置４００が測定モードの動作を開始する。この場合、例えば図３４に示すように、図１の表示部３４０に測定画面３６０が表示される。測定画面３６０は、画像表示領域３６１およびボタン表示領域３６２を含む。画像表示領域３６１には、現在撮像されている測定対象物Ｓの画像が測定画像ＭＩとして表示される。
【０２２５】
測定モードの開始時点には、ボタン表示領域３６２に、ファイル読込ボタン３６２ａが表示される。測定作業者は、ファイル読込ボタン３６２ａを操作することにより、測定管理者に指示されたファイル名を選択する。それにより、光学定盤１１１に載置された測定対象物Ｓに対応する高さ測定の登録情報が読み込まれる。
【０２２６】
登録情報が読み込まれると、図３５に示すように、画像表示領域３６１の測定画像ＭＩ上に、読み込まれた登録情報に対応する基準対象画像ＰＩが半透明の状態で重畳表示される。また、ボタン表示領域３６２に測定ボタン３６２ｂが表示される。この場合、測定作業者は、基準対象画像ＰＩを参照しつつ光学定盤１１１上で測定対象物Ｓをより適切な位置に位置決めすることができる。
【０２２７】
その後、測定作業者は、測定対象物Ｓのより正確な位置決め作業を行った後、測定ボタン３６２ｂを操作する。それにより、読み込まれた登録情報の複数の指定点にそれぞれ対応する複数の目標点が設定される。また、複数の目標測定点にそれぞれ対応する測定対象物Ｓの複数の部分の基準面からの高さが測定される。また、読み込まれた登録情報に許容値が含まれる場合には、その許容値に基づいて目標測定点の対応部分の良否判定が行われる。
【０２２８】
その結果、図３６に示すように、画像表示領域３６１上に、設定されている目標測定点の高さが表示される。また、ボタン表示領域３６２上に、設定されている目標測定点の高さが表示されるとともに、許容値に基づく良否判定の結果が検査結果として表示される。
【０２２９】
図３７〜図３９は、図３５において設定される目標点の詳細を説明するための図である。図３７の例においては、図２４の基準画像ＲＩの基準対象画像ＰＩに対応する測定対象画像ＱＩが測定画像ＭＩ上で特定される。また、測定画像ＭＩ上で６つの目標点Ｐ１〜Ｐ６が設定される。４つの目標点Ｐ１〜Ｐ４は、非追従型の指定基準点に対応する目標基準点である。２つの目標点Ｐ５，Ｐ６は、追従型の指定測定点に対応する目標測定点である。
【０２３０】
この目標点の設定においては、図３７に示すように、測定対象画像ＱＩが基準対象画像ＰＩに対して並進移動または回転移動している場合でも、測定対象画像ＱＩの移動に追従して目標点Ｐ５，Ｐ６が移動する。これにより、測定画像ＭＩ上の所望の部分を測定することができる。また、目標点Ｐ１〜Ｐ４は移動しないので、常に同一の基準平面に基づいて測定画像ＭＩ上の所望の部分の高さを算出することができる。
【０２３１】
なお、図３８に示すように、測定対象画像ＱＩが移動することにより非追従型の目標点（図３８の例では目標点Ｐ３）に重なることがある。この場合、目標点Ｐ３に対応する部分に測定光が出射されず、測定対象物Ｓの部分に測定光が出射されることとなる。そのため、目標点Ｐ３に対応する部分の高さの代わりに、測定対象物Ｓにおける測定光の照射部分の高さが算出される。
【０２３２】
このような場合でも、設定モードにおいて、各指定点の高さが予め算出されている。そこで、本実施の形態においては、測定モードにおける各目標点の高さが設定モードにおいて対応する指定点の高さから一定値以上乖離するときには、警告メッセージが出力される。これにより、測定作業者は、非追従型の目標点に測定対象画像ＱＩが重なっていることを認識し、測定対象物Ｓの位置決め作業を再度行うことができる。
【０２３３】
上記の例では、指定基準点が非追従型に指定され、指定測定点が追従型に指定されるが、本発明はこれに限定されない。複数の指定点の型は個別に指定可能である。図３９の例では、全部の指定点が追従型に指定されている。ここで、いずれか目標点（図３９の例では目標点Ｐ３）が測定領域Ｖの外に位置すると、当該目標点に対応する部分の高さを算出することができない。
【０２３４】
このような場合でも、本実施の形態においては、目標点に対応する部分の高さを算出できないときには、エラーメッセージが出力される。これにより、測定作業者は、追従型の目標点が測定領域Ｖの外に位置していることを認識し、測定対象物Ｓの位置決め作業を再度行うことができる。上記の警告メッセージまたはエラーメッセージは、表示部３４０に表示されてもよいし、光走査高さ測定装置４００が音声出力装置を有する場合には音声として出力されてもよい。
【０２３５】
（１３）目標測定点の高さの補正
目標補正点の高さに基づく目標測定点の高さの補正について説明する。図４０は、目標測定点の高さの補正の具体例について説明するための図である。図４０において、横軸は時間を表し、縦軸は目標測定点および目標補正点の高さを表す。図４０の上部に補正前の目標測定点および目標補正点の高さが示され、図４０の下部に補正後の目標測定点の高さが示される。目標測定点の高さは「●」で表され、目標補正点の高さは「△」で表される。
【０２３６】
図４０の例では、時点ｔ１，ｔ２，ｔ３において目標補正点ＡＰの高さＨ１，Ｈ２，Ｈ３がそれぞれ算出される。この場合、時点ｔ１から時点ｔ２までの時間および時点ｔ２から時点ｔ３までの時間ＡＴがそれぞれ補正基準時間に相当する。上記のように、周辺温度の影響等によって各部材の寸法または部材間の距離が変動することにより、同じ目標補正点ＡＰであっても、算出される高さが変化する。
【０２３７】
本例では、最初に算出された目標補正点の高さが補正基準値に設定される。その後、目標測定点の高さが算出されるごとに、直近の目標補正点の高さと補正基準値との差分値（以下、補正差分値と呼ぶ。）に基づいて目標測定点の高さが補正される。
【０２３８】
具体的には、時点ｔ１で算出される目標補正点ＡＰの高さＨ１が補正基準値に設定される。時点ｔ１と時点ｔ２との間の時点ｔ１１，ｔ１２，ｔ１３において、目標測定点ＭＰ１１，ＭＰ１２，ＭＰ１３の高さＨ１１，Ｈ１２，Ｈ１３が順次算出される。時点ｔ１から時点ｔ２までの期間においては、直近で算出された目標補正点の高さＨ１が補正基準値であるため、補正差分値は０に設定される。この場合、目標測定点ＭＰ１１，ＭＰ１２，ＭＰ１３のＨ１１，Ｈ１２，Ｈ１３は、算出された値に維持される。
【０２３９】
時点ｔ２で算出される目標補正点ＡＰの高さＨ２と補正基準値（高さＨ１）との差分値はｄ１である。そのため、時点ｔ２から時点ｔ３までの期間においては、補正差分値がｄ１に設定される。時点ｔ２と時点ｔ３との間の時点ｔ２１，ｔ２２，ｔ２３において、目標測定点ＭＰ２１，ＭＰ２２，ＭＰ２３の高さＨ２１，Ｈ２２，Ｈ２３が順次算出される。この場合、補正差分値ｄ１に基づいて、高さＨ２１，Ｈ２２，Ｈ２３が補正される。具体的には、算出された高さＨ２１，Ｈ２２，Ｈ２３から補正差分値ｄ１がそれぞれ減算される。
【０２４０】
時点ｔ３で算出される目標補正点ＡＰの高さＨ３と補正基準値（高さＨ１）との差分値はｄ２である。そのため、時点ｔ３から補正用基準時間が経過するまでの期間においては、補正差分値がｄ２に設定される。時点ｔ３の後の時点ｔ３１，ｔ３２において、目標測定点ＭＰ３１，ＭＰ３２の高さＨ３１，Ｈ３２が順次算出される。この場合、補正差分値ｄ２に基づいて、高さＨ３１，Ｈ３２が補正される。具体的には、算出された高さＨ３１，Ｈ３２から補正差分値ｄ２がそれぞれ減算される。
【０２４１】
このように、算出される目標補正点の高さの変位に基づいて、目標測定点の高さが順次補正される。この場合、時間の経過とともに生じる誤差が目標補正点の高さの変化として現れるので、その変化に基づいて目標測定点の高さを補正することにより、高さの誤差を容易にかつ効率よく低減させることができる。
【０２４２】
補正方法は図４０の例に限らない。例えば、目標補正点の高さの変化の線形近似を用いて高さが補正されてもよい。具体的には、目標補正点の高さの経時変化を表す一次関数が求められ、その一次関数を用いて、各目標測定点の測定時点における高さの変化量が推定される。これにより、各目標測定点の高さについて、その測定時点における高さの変化量を用いて補正することができる。これにより、各目標測定点の高さの補正の精度が高くなる。さらに補正の精度を高めるため、より高次の関数近似によって目標補正点の高さの変化位量が求められ、その変化量を用いて高さが補正されてもよい。
【０２４３】
（１４）変形例
上記実施の形態において、基準対象画像ＰＩに類似する１つの測定対象画像ＱＩが測定画像ＭＩ上に特定されるが、本発明はこれに限定されない。基準対象画像ＰＩに類似する複数の測定対象画像ＱＩが測定画像ＭＩ上に特定されてもよい。
【０２４４】
図４１は、変形例における測定画像ＭＩを示す図である。図４１の例においては、ウェルプレートＷＰ上の複数の測定対象物Ｓが測定される。ウェルプレートＷＰは、複数（本例では３行×５列＝１５個）のウェルＷを有する。各ウェルＷに測定対象物Ｓが配置される。一部のウェルＷには測定対象物Ｓが配置されなくてもよい。
【０２４５】
図４２は、変形例における基準画像ＲＩを示す図である。図４２の例においては、基準画像ＲＩ上に複数（本例では７個）の指定点が指定されている。なお、測定対象物Ｓ上に位置する３つの指定点は追従型の指定測定点であり、測定対象物Ｓの周囲に位置する４つの指定点は非追従型の指定基準点である。
【０２４６】
図４２の基準画像ＲＩ上の共通の基準対象画像ＰＩを用いて、図４１の測定画像ＭＩ上で複数の測定対象画像ＱＩが特定される。なお、測定画像ＭＩにおける所望の数の画像を測定対象画像ＱＩとして特定することを容易にするために、測定対象画像ＱＩの数が指定可能であってもよい。あるいは、測定対象画像ＱＩの行の数および列の数が指定可能であってもよい。
【０２４７】
指定された数より大きい数の測定対象画像ＱＩが測定画像ＭＩ上に存在する場合には、類似度が大きい順に、指定された数だけ測定対象画像ＱＩが特定されてもよい。一方で、指定された数より小さい数しか測定対象画像ＱＩが測定画像ＭＩ上に存在しない場合には、指定された数より小さい数の測定対象画像ＱＩが特定されてもよい。特定された測定対象画像ＱＩの部分が枠等により使用者に識別可能に表示されてもよい。また、測定対象画像ＱＩを特定する際の回転角度が制限されていてもよい。この場合、基準対象画像ＰＩに対する回転角度が、制限された回転角度以下の測定対象画像ＱＩのみが特定される。
【０２４８】
測定画像ＭＩ上で特定された各測定対象画像ＱＩについて、共通の基準対象画像ＰＩに基づいて、追従型の指定点に対応する目標点が設定される。ここで、登録情報として、基準画像ＲＩ上に基準対象画像ＰＩとは独立してウェルＷの輪郭を示すウェル画像ＷＩを指定することが可能である。これにより、基準画像ＲＩにおける共通のウェル画像ＷＩと各測定対象画像ＱＩにおけるウェルＷの輪郭を示す画像との比較に基づいて、各測定対象画像ＱＩについて、非追従型の指定点に対応する目標点を設定することができる。なお、図４２の例では各ウェルＷは矩形状の輪郭を有するが、円形状等の輪郭を有してもよい。
【０２４９】
設定された目標基準点に基づいて目標測定点に対応する各測定対象物Ｓの部分の高さが算出される。また、共通の許容値に基づいて、各測定対象物Ｓが検査される。各測定対象画像ＱＩには、検査結果を示す指標が表示されてもよい。例えば、良品であると判定された測定対象物Ｓに対応する測定対象画像ＱＩは緑色の枠で囲まれ、不良品であると判定された測定対象物Ｓに対応する測定対象画像ＱＩは赤色の枠で囲まれてもよい。この構成によれば、複数の測定対象物Ｓにおける所望の共通の部分の形状を正確、容易にかつ短時間で測定および検査することができる。
【０２５０】
図４３は、変形例における基準画像ＲＩの他の例を示す図である。図４３の例においては、図４２の基準画像ＲＩ上にウェル画像ＷＩを指定することに代えて、各ウェルＷに対応して１または複数の（本例では４個）の非追従型の指定基準点が指定される。また、共通の非追従型の指定基準点は指定されず、４個の非追従型の指定基準点が１５組指定されることとなる。そのため、１５個の基準平面が設定される。設定された各基準平面に基づいて、対応する目標測定点の高さが算出される。
【０２５１】
（１５）効果
本実施の形態に係る光走査高さ測定装置４００においては、基準画像上で指定された指定点に対応して測定画像上に目標点が設定され、設定された目標点に対応する測定対象物Ｓの部分の高さが自動的に算出される。ここで、指定点が追従型である場合には、基準対象画像に対する測定対象画像の移動に追従して測定画像上に目標点が設定される。そのため、使用者は、指定点を追従型に指定することにより、光走査高さ測定装置４００に対する位置および姿勢を正確に調整した状態で測定対象物Ｓを載置することなく所望の部分の高さを取得することができる。この場合、目標点の位置座標を予め用意する必要もない。
【０２５２】
一方で、指定点が非追従型である場合には、基準対象画像に対する測定対象画像の移動に追従せずに測定画像上に目標点が設定される。そのため、測定対象物Ｓの位置とは無関係に常に同一の部分を測定したい場合には、使用者は、指定点を非追従型に指定することにより、所望の部分の高さを容易に取得することができる。これらの結果、測定対象物Ｓの所望の部分の形状を正確かつ容易に測定することが可能になる。
【０２５３】
（１６）他の実施の形態
（ａ）図４４は、他の実施の形態に係る光走査高さ測定装置４００の制御系４１０を示すブロック図である。図４４の制御系４１０について、図１０の制御系４１０と異なる点を説明する。図４４に示すように、他の実施の形態においては、制御系４１０は、幾何要素取得部２３および幾何要素算出部２４をさらに含む。
【０２５４】
設定モードにおいては、幾何要素取得部２３は、位置情報取得部２により取得された指定測定点の位置に関する幾何要素の指定を受け付ける。ここで、指定測定点の位置に関する幾何要素とは、指定測定点に対応する測定対象物Ｓの部分の座標に基づいて算出可能な種々の要素であり、例えば測定対象物Ｓの所望の面の平坦度または測定対象物Ｓの複数の部分の距離もしくは角度を含む。指定された幾何要素に対応する許容値が許容値取得部７にさらに入力されてもよい。
【０２５５】
登録部８は、幾何要素取得部２３により受け付けられた幾何要素を指定測定点と関連付けて登録する。また、幾何要素に対応する許容値が許容値取得部７に入力された場合には、登録部８は、許容値取得部７により受け付けられた許容値を幾何要素と関連付けて登録する。座標算出部１５は、登録部８に登録された幾何要素に関連する座標をさらに算出する。幾何要素算出部２４は、座標算出部１５により算出された幾何要素に関連する座標に基づいて、登録部８に登録された幾何要素の値を算出する。
【０２５６】
測定モードにおいては、目標点設定部２０は、登録部８により登録された登録情報に対応する幾何要素を測定画像にさらに設定する。座標算出部１５は、目標点設定部２０により設定された幾何要素に関連する座標をさらに算出する。幾何要素算出部２４は、座標算出部１５により算出された幾何要素に関連する座標に基づいて、目標点設定部２０により設定された幾何要素を算出する。幾何要素の算出結果は、測定画像に重畳表示される。
【０２５７】
この構成によれば、測定管理者が設定モードにおいて幾何要素を指定することにより、測定モードにおいて、測定作業者が熟練していない場合でも、測定対象物Ｓの対応部分の幾何要素の算出結果を画一的に取得することができる。これにより、測定対象物Ｓの平坦度または組み付け寸法等を含む種々の幾何要素を正確かつ容易に測定することが可能になる。
【０２５８】
また、幾何要素に対応する許容値が登録部８に登録されている場合には、検査部２１は、幾何要素算出部２４により算出された幾何要素と登録部８に登録された許容値とに基づいて測定対象物Ｓをさらに検査する。具体的には、算出された幾何要素が設計値を基準とする公差の範囲内である場合には、検査部２１は、測定対象物Ｓは良品であると判定する。一方、算出された幾何要素が設計値を基準とする公差の範囲外である場合には、検査部２１は、測定対象物Ｓは不良品であると判定する。
【０２５９】
報告書作成部２２は、検査部２１による検査結果と測定画像取得部１８により取得された測定画像に基づいて図１１の報告書４２０を作成する。この場合、報告書４２０には、高さ以外の種々の幾何要素の検査結果が記載される。図１１の例においては、幾何要素として、測定対象物Ｓの部分の高さに加えて、平面度、段差および角度が記載されている。これにより、測定作業者は、測定対象物Ｓの組み付け寸法を検査することができるとともに、報告書４２０を用いて検査結果を測定管理者または他の使用者に容易に報告することができる。
【０２６０】
（ｂ）上記実施の形態において、基準画像は１つの基準対象画像を含むが、本発明はこれに限定されない。基準画像は、複数の基準対象画像を含んでもよい。この構成においては、追従型の各指定点が複数の基準対象画像のうちいずれの基準対象画像と対応付けられる。この場合、追従型の各指定点に対応付けられた基準対象画像に対応する測定対象画像と目標点との相対的な位置関係が、当該指定点と当該指定点に対応付けられた基準対象画像との相対的な位置関係に一致するように測定画像上に目標点が設定される。
【０２６１】
この構成によれば、測定対象物Ｓが複数の部材により形成され、部材間の位置関係が変化する場合でも、追従型の指定点を所望の部材に対応する基準対象画像に対応付けることができる。そのため、複数の基準対象画像のうち所望の基準対象画像に対する測定対象画像の移動に追従して測定画像上に目標点が設定される。これにより、測定対象物Ｓが複数の部材により形成される場合でも、測定対象物Ｓの所望の部分の形状を正確かつ容易に測定することができる。
【０２６２】
（ｃ）上記実施の形態において、光学定盤１１１は移動不可能に設置部１１０に固定されるが、本発明はこれに限定されない。光学定盤１１１は、例えば可動ステージにより設置部１１０に対して移動可能に設けられてもよい。この場合、光学定盤１１１を移動させることにより、より大きい寸法を有する測定対象物Ｓを適切に測定することができる。この構成においては、光学定盤１１１の移動に追従して光走査高さ測定装置４００に固有の三次元座標系も移動する。したがって、光学定盤１１１が移動された場合でも、その移動量に基づいて追従型および非追従型の指定点に対応する目標点を設定することができる。
【０２６３】
（ｄ）上記実施の形態において、複数の指定測定点のうち非追従型が指定された指定測定点の１つが指定補正点として設定されるが、本発明はこれに限定されない。複数の指定基準点のうち非追従型が指定された指定基準点の１つが指定補正点として設定されてもよい。
【０２６４】
（ｅ）高さ算出部１７は、光走査高さ測定装置４００に定義された固有の三次元座標系における原点を基準とする測定対象物Ｓの部分の高さを算出してもよい。この場合、使用者は、固有の三次元座標系における測定対象物Ｓの部分の高さの絶対値を取得することができる。また、高さ算出部１７は、基準面を基準とする高さの相対値を算出する相対値算出モードと、固有の三次元座標系における高さの絶対値を算出する絶対値算出モードとで選択的に動作可能であってもよい。絶対値算出モードにおいては、基準面が必要ないので、指定基準点が指定されてなくてもよい。
【０２６５】
（ｆ）高さ算出部１７は、設定モードにおいて、指定測定点に対応する測定対象物Ｓの部分の高さを算出できないときには、「ＦＡＩＬ」等のエラーメッセージを表示部３４０に表示させてもよい。この場合、測定管理者は、表示部３４０を視認することにより、指定測定点に対応する測定対象物Ｓの部分の高さが算出不可能であることを認識することができる。これにより、測定管理者は、測定対象物Ｓの部分の高さが算出可能になるように測定対象物Ｓまたは光走査高さ測定装置４００の配置を変更するか、または指定する指定測定点の位置を変更することができる。
【０２６６】
（ｇ）光走査高さ測定装置４００は、設定モードにおいて取得される基準画像または計測モードにおいて取得される測定画像に描画およびコメントを挿入可能に構成されてもよい。これにより、測定対象物Ｓの測定状況をより詳細に記録することができる。また、基準画像に挿入された描画およびコメントは、登録情報として登録されてもよい。
【０２６７】
例えば、設定モードにおいて設定されたサーチ領域を示す枠線が基準画像に描画されてもよい。この場合、測定モードにおいては、測定画像に当該枠線が表示される。これにより、測定モードにおいて、測定作業者が測定画像に表示された枠線内に測定対象物Ｓが収まるように測定対象物Ｓを光学定盤１１１に載置することが容易になる。その結果、基準画像に対する測定画像のずれを効率的に特定することができる。
【０２６８】
（ｈ）基準画像取得部１は、取得した基準画像を画像処理することにより表示部３４０に鳥瞰表示させてもよい。同様に、測定画像取得部１８は、取得した測定画像を画像処理することにより表示部３４０に鳥瞰表示させてもよい。
【０２６９】
（ｉ）上記実施の形態において、基準画像取得部１および測定画像取得部１８は、撮像部２２０による測定対象物Ｓの撮像画像をそれぞれ基準画像および測定画像として取得するが、本発明はこれに限定されない。基準画像取得部１および測定画像取得部１８は、予め準備された測定対象物ＳのＣＡＤ（Computer Aided Design）画像をそれぞれ基準画像および測定画像として取得してもよい。
【０２７０】
あるいは、測定対象物Ｓの複数の部分に測定光が照射される場合には、高さ算出部１７は、測定対象物Ｓの複数の部分の高さを算出可能である。そこで、基準画像取得部１および測定画像取得部１８は、測定対象物Ｓの複数の部分の高さに基づいて、測定対象物Ｓの距離画像をそれぞれ基準画像および測定画像として取得してもよい。
【０２７１】
基準画像としてＣＡＤ画像または距離画像が用いられる場合、測定管理者は、測定対象物Ｓの立体的な形状を認識しつつ、ＣＡＤ画像または距離画像上で所望の指定基準点、指定測定点および指定補正点を正確に指定することができる。また、基準画像および測定画像として距離画像が用いられる場合には、当該距離画像は、分解能が低減されることにより高速に生成されてもよい。
【０２７２】
（ｊ）上記実施の形態において、測定作業者は、測定モードの開始時に登録情報のファイルを指定するが、本発明はこれに限定されない。例えば、登録情報のファイルに対応するＩＤ（Identification）タグが測定対象物Ｓに貼付されていてもよい。この場合、測定モードの開始時に測定対象物ＳとともにＩＤタグが撮像部２２０に撮像されることにより、当該タグに対応する登録情報のファイルが自動的に指定される。この構成によれば、測定作業者は、測定モードの開始時に登録情報のファイルを指定する必要がない。そのため、図１５のステップＳ２０３の処理は省略される。
【０２７３】
（ｋ）上記実施の形態において、測定対象物Ｓの高さが分光干渉方式により算出されるが、本発明はこれに限定されない。測定対象物Ｓの高さは、白色干渉方式、共焦点方式、三角測距方式またはＴＯＦ（Time Of Flight）方式等の他の方式により算出されてもよい。
【０２７４】
（ｌ）上記実施の形態において、光走査高さ測定装置４００の動作モードは複数の動作モードを含み、光走査高さ測定装置４００は使用者により選択された動作モードで動作するが、本発明はこれに限定されない。光走査高さ測定装置４００の動作モードは複数の動作モードを含まずに単一の動作モードのみを含み、光走査高さ測定装置４００は当該動作モードで動作してもよい。例えば、光走査高さ測定装置４００の動作モードはハイトゲージモードを含まず、光走査高さ測定装置４００は、設定モードおよび測定モードで動作してもよい。また、光走査高さ測定装置４００は、登録情報を外部から取得可能である場合、光走査高さ測定装置４００の動作モードは設定モードを含まず、光走査高さ測定装置４００は、測定モードで動作してもよい。
【０２７５】
（ｍ）上記実施の形態において、導光部２４０は光ファイバ２４１〜２４４およびファイバカプラ２４５を含むが、本発明はこれに限定されない。導光部２４０は、光ファイバ２４１〜２４４およびファイバカプラ２４５に代えてハーフミラーを含んでもよい。
【０２７６】
（１７）請求項の各構成要素と実施の形態の各部との対応関係
以下、請求項の各構成要素と実施の形態の各部との対応の例について説明するが、本発明は下記の例に限定されない。請求項の各構成要素として、請求項に記載されている構成または機能を有する他の種々の要素を用いることもできる。
【０２７７】
上記実施の形態においては、測定対象物Ｓが測定対象物の例であり、基準対象画像ＰＩが基準対象画像の例であり、基準画像ＲＩが基準画像の例であり、登録部８が情報受付部および登録情報生成部の例である。測定対象画像ＱＩが測定対象画像の例であり、測定画像ＭＩが測定画像の例であり、測定画像取得部１８が測定画像取得部の例であり、型判定部１９が型判定部の例であり、目標点設定部２０が目標点設定部の例である。光出射部２３１が光出射部の例であり、偏向部２７１，２７２が偏向部の例であり、検出部１０が検出部の例であり、受光部２３２ｄが受光部の例であり、駆動制御部５が駆動制御部の例であり、高さ算出部１７が高さ算出部の例である。
【０２７８】
光走査高さ測定装置４００が光走査高さ測定装置の例であり、座標算出部１５が座標算出部および第２の位置特定部の例であり、基準面取得部６が基準面取得部の例であり、補正点設定部４が補正点設定部の例である。撮像部２２０が撮像部の例であり、画像解析部１１が第１の位置特定部の例であり、位置判定部１６が第１および第２の位置判定部の例であり、基準画像取得部１が基準画像取得部の例であり、位置情報取得部２が位置情報取得部の例である。型指定部３が型指定部の例であり、可動ミラー２５４ｃが参照体の例であり、導光部２４０が導光部の例であり、読取部２５７ａ，２５７ｂが参照位置取得部の例であり、分光部２３２ｂが分光部の例である。
【符号の説明】
【０２７９】
１…基準画像取得部，２…位置情報取得部，３…型指定部，４…補正点設定部，５…駆動制御部，６…基準面取得部，７…許容値取得部，８…登録部，９…偏向方向取得部，１０…検出部，１１…画像解析部，１２…参照位置取得部，１３…受光信号取得部，１４…距離情報算出部，１５…座標算出部，１６…位置判定部，１７…高さ算出部，１８…測定画像取得部，１９…型判定部，２０…目標点設定部，２１…検査部，２２…報告書作成部，２３…幾何要素取得部，２４…幾何要素算出部，１００…スタンド部，１１０…設置部，１１１…光学定盤，１２０…保持部，１３０…昇降部，１３１，２５５ａ，２５５ｂ，２６４，２７１ａ，２７２ａ…駆動部，１３２，２５６ａ，２５６ｂ，２６５，２７３，２７４…駆動回路，１３３，２５７ａ，２５７ｂ，２６６，２７５，２７６…読取部，２００…測定ヘッド，２１０…制御基板，２２０…撮像部，２３０…光学部，２３１…光出射部，２３２…測定部，２３２ａ，２３２ｃ，２４６…レンズ，２３２ｂ…分光部，２３２ｄ…受光部，２４０…導光部，２４１〜２４４…光ファイバ，２４５…ファイバカプラ，２４５ａ〜２４５ｄ…ポート，２４５ｅ…本体部，２５０…参照部，２５１，２６１…固定部，２５１ｇ…リニアガイド，２５２ａ，２５２ｂ，２６２…可動部，２５３…固定ミラー，２５４ａ〜２５４ｃ…可動ミラー，２６０…合焦部，２６３…可動レンズ，２７０…走査部，２７１，２７２…偏向部，２７１ｂ，２７２ｂ…反射部，３００…処理装置，３１０…制御部，３１５…タイマ，３２０…記憶部，３３０…操作部，３４０…表示部，３４１…選択画面，３４１ａ…設定ボタン，３４１ｂ，３６２ｂ…測定ボタン，３４１ｃ…ハイトゲージボタン，３５０…設定画面，３５１，３６１…画像表示領域，３５２，３６２…ボタン表示領域，３５２ａ…サーチ領域ボタン，３５２ｂ…基準対象画像ボタン，３５２ｃ…設定完了ボタン，３５２ｄ…点指定ボタン，３５２ｅ…基準面設定ボタン，３５２ｆ…型指定ボタン，３５２ｇ…許容値ボタン，３５２ｈ…基準点設定ボタン，３５２ｉ…測定点設定ボタン，３６０…測定画面，３６２ａ…ファイル読込ボタン，４００…光走査高さ測定装置，４１０…制御系，４２０…報告書，４２１…名称表示欄，４２２…画像表示欄，４２３…状況表示欄，４２４…結果表示欄，４２５…保証表示欄，ＣＢ…チェックボックス，ＭＩ…測定画像，Ｐ１〜Ｐ６…目標点，ＰＩ…基準対象画像，ＱＩ…測定対象画像，ＲＢ…戻るボタン，ＲＦ…基準面，ＲＩ…基準画像，Ｓ…測定対象物，ＳＩ…画像，Ｖ…測定領域，ＷＩ…ウェル画像，ＷＰ…ウェルプレート
【図１】
2019074473.tif 000003
【図２】
2019074473.tif 000004
【図３】
2019074473.tif 000005
【図４】
2019074473.tif 000006
【図５】
2019074473.tif 000007
【図６】
2019074473.tif 000008
【図７】
2019074473.tif 000009
【図８】
2019074473.tif 000010
【図９】
2019074473.tif 000011
【図１０】
2019074473.tif 000012
【図１１】
2019074473.tif 000013
【図１２】
2019074473.tif 000014
【図１３】
2019074473.tif 000015
【図１４】
2019074473.tif 000016
【図１５】
2019074473.tif 000017
【図１６】
2019074473.tif 000018
【図１７】
2019074473.tif 000019
【図１８】
2019074473.tif 000020
【図１９】
2019074473.tif 000021
【図２０】
2019074473.tif 000022
【図２１】
2019074473.tif 000023
【図２２】
2019074473.tif 000024
【図２３】
2019074473.tif 000025
【図２４】
2019074473.tif 000026
【図２５】
2019074473.tif 000027
【図２６】
2019074473.tif 000028
【図２７】
2019074473.tif 000029
【図２８】
2019074473.tif 000030
【図２９】
2019074473.tif 000031
【図３０】
2019074473.tif 000032
【図３１】
2019074473.tif 000033
【図３２】
2019074473.tif 000034
【図３３】
2019074473.tif 000035
【図３４】
2019074473.tif 000036
【図３５】
2019074473.tif 000037
【図３６】
2019074473.tif 000038
【図３７】
2019074473.tif 000039
【図３８】
2019074473.tif 000040
【図３９】
2019074473.tif 000041
【図４０】
2019074473.tif 000042
【図４１】
2019074473.tif 000043
【図４２】
2019074473.tif 000044
【図４３】
2019074473.tif 000045
【図４４】
2019074473.tif 000046